(57)【要約】      （修正有）【課題】高さ調整可能なねじ式インサート、及びそれに関連する方法を提供する。【解決手段】高さ調整可能なねじ式インサート５０は、このインサートがサンドイッチパネル１２に荷重を転嫁するよう構成されうるように、サンドイッチパネルのボア２０内に取り付けられうる。高さ調整可能なねじ式インサートは、互いに対して選択的に動作可能に配置されうる、第１インサート部品５２と第２インサート部品５４とを含みうる。高さ調整可能なねじ式インサートの全高は、第１インサート部品に対して第２インサート部品を長手方向に摺動させること、及び、第１インサート部品に対して第２インサート部品を回転させることによって、調整されうる。高さ調整可能なねじ式インサートは、サンドイッチパネルにおける同一平面取り付けに適するよう構成されうる。かかる高さ調整可能なねじ式インサートを取り付け、その高さを調整する方法も、開示されている。【選択図】図５
2017215035.tif 000002
【特許請求の範囲】
【請求項１】
第１上面（６０）と第１下面（６２）とを有する第１フランジ（５８）、
前記第１フランジ（５８）の前記第１上面（６０）から第１首部端領域（６７）まで延在する第１首部（６４）、並びに、
少なくとも前記第１首部（６４）を通って延在し、かつ、前記第１首部（６４）の第１内表面（６８）によって少なくとも部分的に画定される第１孔部（６６）を備える、第１インサート部品（５２）であって、前記第１首部（６４）が前記第１内表面（６８）の反対側の第１外表面（９０）を備える、第１インサート部品（５２）と、
第２上面（７４）と第２下面（７６）とを有する第２フランジ（７２）、
前記第２フランジ（７２）の前記第２下面（７６）から第２首部端領域（８１）まで延在する第２首部（７８）、並びに、
前記第２首部（７８）及び前記第２フランジ（７２）を通って延在し、前記第２首部（７８）の第２内表面（８４）によって部分的に画定される第２孔部（８０）を備える、第２インサート部品（５４）であって、前記第２首部（７８）が前記第２内表面（８４）の反対側の第２外表面（１００）を備える、第２インサート部品（５４）とを備える、高さ調整可能なねじ式インサート（５０）であって、
前記第２インサート部品（５４）は、前記第２首部（７８）の前記第２内表面（８４）が前記第１首部（６４）の少なくとも一部分とねじ式係合を有するように、前記第１インサート部品（５２）に対して選択的に動作可能に配置されるよう構成され、前記高さ調整可能なねじ式インサート（５０）は、前記第２フランジ（７２）が前記第１フランジ（５８）に向かって動くように前記第１インサート部品（５２）に対して前記第２インサート部品（５４）を動かすことで、前記高さ調整可能なねじ式インサート（５０）の全高（５６）が減少するように、選択的に調整可能な前記全高（５６）を有するよう構成され、前記高さ調整可能なねじ式インサート（５０）の前記全高（５６）は、前記第２フランジ（７２）の前記第２上面（７４）と前記第１フランジ（５８）の前記第１下面（６２）との間の垂直距離として画定され、前記第２インサート部品（５４）が前記第１インサート部品（５２）に対して動作可能に配置されると、前記第１孔部（６６）と前記第２孔部（８０）とは少なくとも実質的に同心になり、前記第１インサート部品（５２）と前記第２インサート部品（５４）とは、互いに対して、摺動可能に平行移動可能であり、かつ回転可能である、高さ調整可能なねじ式インサート（５０）
【請求項２】
サンドイッチパネル（１２）のボア（２０）の中に取り付けられるよう構成されている、前記高さ調整可能なねじ式インサート（５０）であって、一旦、前記第２インサート部品（５４）が前記第１インサート部品（５２）に対して動作可能に配置され、かつ、前記高さ調整可能なねじ式インサート（５０）が前記サンドイッチパネル（１２）の前記ボア（２０）内に取り付けられると、前記第２インサート部品（５４）が前記第１インサート部品（５２）に対して回転する際に前記サンドイッチパネル（１２）に対する前記第１インサート部品（５２）の回転に抗するよう構成された、回転防止フィーチャ（９６）を更に備える、請求項１に記載の高さ調整可能なねじ式インサート（５０）。
【請求項３】
前記回転防止フィーチャ（９６）は、前記第１フランジ（５８）の外周エッジ領域（９４）から径方向に延在する複数の突起（９４）を備える、請求項２に記載の高さ調整可能なねじ式インサート（５０）。
【請求項４】
前記第１インサート部品（５２）に対して前記第２インサート部品（５４）を長手方向に摺動させることによって、及び、前記第１インサート部品（５２）に対して前記第２インサート部品（５４）を回転させることによって、前記全高（５６）が調整可能であるように構成される、請求項１から３のいずれか一項に記載の高さ調整可能なねじ式インサート（５０）。
【請求項５】
前記第１首部（６４）の前記第１外表面（９０）は第１ねじ部（１０４）を備える、請求項１から４のいずれか一項に記載の高さ調整可能なねじ式インサート（５０）。
【請求項６】
前記第２首部（７８）の前記第２内表面（８４）は、前記第１首部（６４）の前記第１ねじ部（１０４）を係合するよう構成された一又は複数のねじ係合クリップ（１１０）を備え、前記一又は複数のねじ係合クリップ（１１０）は、前記第２首部端領域（８１）に隣接して配置され、前記一又は複数のねじ係合クリップ（１１０）は、前記第２首部（７８）の前記第２内表面（８４）から径方向に内向きに突出している、請求項５に記載の高さ調整可能なねじ式インサート（５０）。
【請求項７】
前記第２首部（７８）は、長手方向に延在する溝（１１２）の一又は複数の対であって、径方向に拡張可能なタブ（１１４）を長手方向に延在する溝（１１２）の隣接対それぞれの間に形成するために互いに離間している、長手方向に延在する溝（１１２）の一又は複数の対を備え、各ねじ係合クリップ（１１０）は、対応する径方向に拡張可能なタブ（１１４）上に配置され、前記ねじ係合クリップ（１１０）は、前記第２インサート部品（５４）が前記第１インサート部品（５２）に対して動作可能に配置されると前記第１インサート部品（５２）の前記第１ねじ部（１０４）を把持するよう構成され、前記第２インサート部品（５４）は、前記径方向に拡張可能なタブ（１１４）を径方向に拡張させること、及び、前記ねじ係合クリップ（１１０）を前記第１ねじ部（１０４）に沿ってラチェットさせることによって、前記第１インサート部品（５２）に対して長手方向に動くよう構成される、請求項６に記載の高さ調整可能なねじ式インサート（５０）。
【請求項８】
前記第２首部（７８）の前記第２内表面（８４）は第２ねじ部（１０６）を備える、請求項１から７のいずれか一項に記載の高さ調整可能なねじ式インサート（５０）。
【請求項９】
前記第１首部（６４）の前記第１外表面（９０）は、前記第２首部（７８）の前記第２ねじ部（１０６）を係合するよう構成された一又は複数のねじ係合クリップ（１０８）を備え、前記一又は複数のねじ係合クリップ（１０８）は、前記第１首部端領域（６７）に隣接して配置され、前記一又は複数のねじ係合クリップ（１０８）は、前記第１首部（６４）の前記第１外表面（９０）から径方向に外向きに突出しており、前記一又は複数のねじ係合クリップ（１０８）の各々は、前記第１インサート部品（５２）に対する前記第２インサート部品（５４）の回転が、前記ねじ係合クリップ（１０８）を、前記第２ねじ部（１０６）と係合させ、かつ前記第２ねじ部（１０６）に沿って移動させるように、部分ねじを含む、請求項８に記載の高さ調整可能なねじ式インサート（５０）。
【請求項１０】
前記第２インサート部品（５４）は、前記第２ねじ部（１０６）が一又は複数の長手方向に延在する溝（１１２）の各々において不連続になるように、前記第２首部（７８）の前記第２内表面（８４）の前記第２ねじ部（１０６）内に形成された前記一又は複数の長手方向に延在する溝（１１２）を備え、前記長手方向に延在する溝（１１２）の各々は、各ねじ係合クリップ（１０８）が、前記第２インサート部品（５４）が前記第１インサート部品（５２）に対して動作可能に配置されると対応する長手方向に延在する溝（１１２）に沿って長手方向に摺動するよう構成されるように、対応するねじ係合クリップ（１０８）を受容するよう構成される、請求項９に記載の高さ調整可能なねじ式インサート。
【請求項１１】
前記第１インサート部品（５２）及び前記第２インサート部品（５４）がサンドイッチパネル（１２）のボア（２０）内に、少なくとも部分的に一旦挿入されると前記高さ調整可能なねじ式インサート（５０）の前記全高（５６）が調整可能になるように構成される、請求項１から１０のいずれか一項に記載の高さ調整可能なねじ式インサート（５０）。
【請求項１２】
サンドイッチパネル（１２）のボア（２０）の中に取り付けられるよう構成されている、前記高さ調整可能なねじ式インサート（５０）であって、前記サンドイッチパネル（１２）が、第１外板（１６）と、前記第１外板（１６）の反対側の第２外板（１８）と、それらの間のコア（１４）とを備え、前記第２インサート部品（５４）が前記第１インサート部品（５２）に対して動作可能に配置され、かつ、前記高さ調整可能なねじ式インサート（５０）が前記サンドイッチパネル（１２）の前記ボア（２０）内に取り付けられると、前記第２フランジ（７２）の前記第２上面（７４）が、前記サンドイッチパネル（１２）の前記第１外板（１６）と前記第２外板（１８）の一方と少なくとも実質的に同一平面になるように構成される、請求項１から１１のいずれか一項に記載の高さ調整可能なねじ式インサート（５０）。
【請求項１３】
高さ調整可能なねじ式インサート（５０）をサンドイッチパネル（１２）内に形成されたボア（２０）の中に取り付ける方法であって、
前記ボア（２０）内に前記高さ調整可能なねじ式インサート（５０）を取り付けることであって、前記高さ調整可能なねじ式インサート（５０）が、
第１上面（６０）と第１下面（６２）とを有する第１フランジ（５８）、
前記第１フランジ（５８）の前記第１上面（６０）から第１首部端領域（６７）まで延在する第１首部（６４）、並びに、
少なくとも前記第１首部（６４）を通って延在し、かつ、前記第１首部（６４）の第１内表面（６８）によって少なくとも部分的に画定される第１孔部（６６）を備える、第１インサート部品（５２）であって、前記第１首部（６４）が前記第１内表面（６８）の反対側の第１外表面（９０）を備える、第１インサート部品（５２）と、
第２上面（７４）と第２下面（７６）とを有する第２フランジ（７２）、
前記第２フランジ（７２）の前記第２下面（７６）から第２首部端領域（８１）まで延在する第２首部（７８）、並びに、
前記第２首部（７８）及び前記第２フランジ（７２）を通って延在し、前記第２首部（７８）の第２内表面（８４）によって部分的に画定される第２孔部（８０）を備える、第２インサート部品（５４）であって、前記第２首部（７８）が前記第２内表面（８４）の反対側の第２外表面（１００）を備える、第２インサート部品（５４）とを備え、
前記第２インサート部品（５４）は、前記第２首部（７８）の前記第２内表面（８４）が前記第１首部（６４）の少なくとも一部分とねじ式係合を有するように、前記第１インサート部品（５２）に対して選択的に動作可能に配置されるよう構成され、前記高さ調整可能なねじ式インサート（５０）は、前記第２フランジ（７２）が前記第１フランジ（５８）に向かって動くように前記第１インサート部品（５２）に対して前記第２インサート部品（５４）を動かすことで、前記高さ調整可能なねじ式インサート（５０）の全高（５６）が減少するように、選択的に調整可能な前記全高（５６）を有するよう構成され、前記高さ調整可能なねじ式インサート（５０）の前記全高（５６）は、前記第２フランジ（７２）の前記第２上面（７４）と前記第１フランジ（５８）の前記第１下面（６２）との間の垂直距離として画定され、前記第２インサート部品（５４）が前記第１インサート部品（５２）に対して動作可能に配置されると、前記第１孔部（６６）と前記第２孔部（８０）とは少なくとも実質的に同心になり、前記第１インサート部品（５２）と前記第２インサート部品（５４）とは、互いに対して、摺動可能に平行移動可能であり、かつ回転可能である、取り付けること、並びに、
前記高さ調整可能なねじ式インサート（５０）の高さを、前記第２フランジ（７２）の前記第２上面（７４）が前記サンドイッチパネル（１２）の外表面（３１、３５）と少なくとも実質的に同一平面になるまで調整することであって、前記第１インサート部品（５２）に対して前記第２インサート部品（５４）を長手方向に摺動させることと、前記第２インサート部品（５４）に対して前記第１インサート部品（５２）を回転させることとを含む、前記高さを調整することを含む、方法。
【請求項１４】
前記サンドイッチパネル（１２）内に複数のボア（２０）を形成することを更に含み、前記サンドイッチパネル（１２）は、第１内表面（３３）及び反対側の第１外表面（３１）を有する第１外板（１６）と、前記第１外板（１６）の反対側の第２外板（１８）であって、第２内表面（３７）及び反対側の第２外表面（３５）を有する第２外板（１８）とを有し、前記第１外板（１６）の前記第１外表面（３１）と前記第２外板（１８）の前記第２外表面（３５）とは互いに逆方向に面しており、前記サンドイッチパネル（１２）は更に、前記第１外板（１６）の前記第１内表面（３３）と前記第２外板（１８）の前記第２内表面（３７）との間に挟まれたコア（１４）を有し、前記複数のボア（２０）を形成することは、前記複数のボア（２０）を、それらが前記第１外板（１６）と前記第２外板（１８）の少なくとも一方を通って前記コア（１４）の中へと延在するように形成することを含み、前記高さ調整可能なねじ式インサート（５０）を取り付けることは、複数の高さ調整可能なねじ式インサート（５０）を取り付けることを含み、前記複数の高さ調整可能なねじ式インサート（５０）のそれぞれの高さ調整可能なねじ式インサート（５０）は、前記複数のボア（２０）のうちの対応するボア（２０）内に取り付けられ、
前記ボア（２０）内に前記高さ調整可能なねじ式インサート（５０）を取り付けることは、前記第１首部（６４）が前記サンドイッチパネル（１２）の前記第１外板（１６）に向かって前記ボア（２０）の中へと延在するように、前記第１フランジ（５８）を、前記サンドイッチパネル（１２）の前記第２外板（１８）に隣接して配置すること、及び、前記第２首部（７８）が前記第１インサート部品（５２）の前記第１フランジ（５８）と前記第２インサート部品（５４）の前記第２フランジ（７２）との間に配置されるように、前記第２インサート部品（５４）を配置することを含み、
前記ボア（２０）内に前記高さ調整可能なねじ式インサート（５０）を取り付けることは、前記第２首部（７８）の前記第２内表面（８４）が、前記第１首部（６４）の前記第１外表面（９０）上に少なくとも部分的に配置されるように、かつ、前記第１孔部（６６）と前記第２孔部（８０）とが実質的に同心になるように、最初に前記第１インサート部品（５２）を前記ボア（２０）内に挿入すること、及び、次いで前記第２インサート部品（５４）を前記ボア（２０）内に挿入することを含む、請求項１３に記載の方法。
【請求項１５】
前記高さ調整可能なねじ式インサート（５０）の前記高さを調整することは、前記第１インサート部品（５２）のねじ係合クリップ（１０８）を、前記第２インサート部品（５４）の前記第２首部（７８）の前記第２内表面（８４）の第２ねじ部（１０６）内に形成された長手方向に延在する溝（１１２）に沿って摺動させること、及び、前記第１インサート部品（５２）の前記ねじ係合クリップ（１０８）が前記第２インサート部品（５４）の前記第２首部（７８）内の前記第２ねじ部（１０６）を係合するように、前記第１インサート部品（５２）に対して前記第２インサート部品（５４）を回転させることを含む、請求項１３に記載の方法。
【請求項１６】
前記高さ調整可能なねじ式インサート（５０）の前記高さを調整することは、前記第２インサート部品（５４）の一又は複数のねじ係合クリップ（１１０）が前記第１インサート部品（５２）の前記第１首部（６４）の前記第１外表面（９０）上の第１ねじ部（１０４）の一又は複数のねじ山を長手方向に通り過ぎるように、前記第２インサート部品（５４）の一又は複数の径方向に拡張可能なタブ（１１４）を径方向に拡張させることを含む、請求項１３から１５のいずれか一項に記載の方法。
【発明の詳細な説明】
【技術分野】
【０００１】
本開示は、高さ調整可能なねじ式インサート、及びそれに関連する方法に関する。
【背景技術】
【０００２】
サンドイッチパネル（例えば、材料又は外板の２つの層の間に挟まれたコア）は、強度重量比が高いため、航空機の建造において使用されることが多い。航空機におけるサンドイッチパネルの特定の所在及び用途に応じて、一又は複数の円形インサートが、一又は複数の他の構造物又はファスナをサンドイッチパネルに付けるために、このパネルの内部に、又はこのパネルを通って、挿入されることが必要になりうる。円形インサートは、（ピン、ボルト、ねじ、接合部、又はその他の構造物を介するなどして）偏荷重をサンドイッチパネルに転嫁するため、例えば、サンドイッチパネルを別の構造物に締結するため、複数のサンドイッチパネルを互いに接合するため、かつ／又は、一又は複数の外部物体をサンドイッチパネルに取り付けるために、使用されうる。例えば、円形インサートは、ワイヤ束がサンドイッチパネルの一方の側から他方へと通るためのチャネルを提供しうる。若しくは、円形インサートは、円形インサートを介して別のパネル又は物体をサンドイッチパネルに固定するために、ピン又はボルト、或いはその他のファスナを受容するよう構成されうる。航空宇宙産業においては、かかるサンドイッチパネル及び円形インサートは、航空機の内装の主要構造物及び／又は副次構造物を組み立てるために使用されてよく、かつ／或いは、航空機の中のフロアボード、壁面パネル、ギャレー、収容棚（ｓｔｏｗ  ｂｉｎ）、頭上コンパートメント、トイレ、及び／又は他の構造物を形成するために使用されうる。かかるサンドイッチパネル及び円形インサートは、他の業界でも使用される。
【０００３】
図１及び図２は、サンドイッチパネル１１内に取り付けられた従来型の円形インサート１０の概略的な断面を示している。サンドイッチパネル１１は、第１外板１５と第２外板１７との間に挟まれたコア１３を含みうる。第１外板１５及び第２外板１７は、剛性又は半剛性の外板であってよく、典型的には、コア１３と比較して相対的に薄く、コア１３は、典型的には軽量材で形成される。従来型の円形インサート１０は、サンドイッチパネル１１内に形成された円形のボア（ｂｏｒｅ）１９の中に挿入されてよく、この円形のボアは、盲ボア２１（図１）でありうるか、又は貫通ボア２３（図２）でありうる。盲ボア２１が、外板の一方（例えば、図１に示す第１外板１５）を通ってコア１３の中へと、他方の外板（例えば第２外板１７）に向かって延在しうる一方、貫通ボア２３は、第１外板１５、第２外板１７、及びコア１３を全て貫通して延在しうる。図１及び図２に示しているように、従来型の円形インサート１０のフランジ部２７は、第１外板１５及び第２外板１７のうちの一又は複数と実質的に同一平面になりうるか、或いは図３に示すように、従来型の円形インサート１０のフランジ部２７は、第１外板１５又は第２外板１７の上に（例えば外表面上に）置かれうる。
【０００４】
従来の技法では、従来型の円形インサート１０とサンドイッチパネル１１のコア１３との間の間隙又は空間２９を充填するために、ポッティング化合物又はエポキシなどの接着材料が、従来型の円形インサート１０のポッティング孔すなわちベント（ｖｅｎｔ）を通じて注入される。接着材料は、一旦完全に硬化されると、サンドイッチパネル１１の円形のボア１９の中でインサートを定位置に固定するよう機能するものであり、この接着化合物が一旦乾燥し、固化し、かつ／又は硬化すれば、サンドイッチパネル１１に対する従来型の円形インサート１０の相対移動を防止し、かつ、従来型の円形インサート１０を（例えば、従来型の円形インサート１０の引張り、回転、及び側方移動に抗して）円形のボア１９の中に保持することが、意図される
【０００５】
しかし、サンドイッチパネルのサイズ及びボアの深さの変動により、何十もの異なるサイズの従来型インサートが必要になる。誤ったインサートの選択、及び／又は、必要なサイズの不正確な決定により、不適当なサイズのインサートが所与のボア内に取り付けられることがよくある。例えば、サンドイッチパネルの一方の側だけにアクセス可能な状況では、適当なインサートサイズを決定するためにサンドイッチパネルの厚みを測定することが、困難でありうる。誤ったインサートの取り付けは、結果として、著しい廃棄コスト及び／又は手直しコストが生じうる。更に、所与のサンドイッチパネル又は装置内に取り付けられることが必要なインサートの数が多いことから、間違いにより、製造中に特定のサイズが足りなくなることがよくある。従来技術の手法は調整可能な高さを有するインサートを既に含んでいるが、これらの従来技術のインサートは、インサートがパネルと同一平面にならないようにサンドイッチパネルの表面上に載るフランジ（図３に示すフランジ部２７など）を含む。これらの従来技術のインサートは、この分野における一部の問題には対処しうるが、同一平面取り付けが必要な用途には適していない。従来型インサート、及び、サンドイッチパネルの中にこのインサートを取り付ける方法に伴うかかる問題は、多種多様な業界において現在も継続しており、問題となっている。
【発明の概要】
【０００６】
本開示の高さ調整可能なねじ式インサート、及びそれに関連する方法（例えば、サンドイッチパネル内に一又は複数のかかるインサートを取り付け、高さ調整可能なねじ式インサートの高さを調整する方法）は、従来型インサート及びそれに関連する方法に伴う一又は複数の問題に対処しうる。例えば、本開示による高さ調整可能なねじ式インサートの一例は、第１インサート部品と第２インサート部品とを含みうる。第１インサート部品は、第１上面及び第１下面を有する第１フランジと、第１フランジの第１上面から第１首部端領域まで延在する第１首部と、少なくとも第１首部を通って延在し、かつ、第１首部の第１内表面によって少なくとも部分的に画定される第１孔部とを、含みうる。第１首部は、第１内表面の反対側の第１外表面も含みうる。第２インサート部品は、第２上面及び第２下面を有する第２フランジと、第２フランジの第２下面から第２首部端領域まで延在する第２首部と、第２首部及び第２フランジを通って延在し、第２首部の第２内表面によって少なくとも部分的に画定される、第２孔部とを、含みうる。
【０００７】
第２インサート部品は、第２首部の第２内表面が第１首部の少なくとも一部分とねじ式係合を有するように、第１インサート部品に対して選択的に動作可能に配置されるよう、構成されうる。高さ調整可能なインサートは、第２フランジが第１フランジに向かって動くように第１インサート部品に対して第２インサート部品を動かすことで高さ調整可能なインサートの全高が減少するように、選択的に調整可能な全高を有するよう構成されうる。更に、第２インサート部品が第１インサート部品に対して動作可能に配置されると、第１孔部と第２孔部とは少なくとも実質的に同心になりうる。第１インサート部品と第２インサート部品とは、互いに対して、摺動可能に平行移動可能であり、かつ回転可能でありうる。従来技術のインサートとは異なり、本開示の高さ調整可能なインサートは、サンドイッチパネルの両側にアクセスすることを必要とせずに、同一平面取り付けに適するよう構成されうる。
【０００８】
かかる高さ調整可能なねじ式インサートは、本書で開示されている方法により、サンドイッチパネルのボア内に取り付けられるよう構成されうる。サンドイッチパネルは、第１外板と、第１外板の反対側の第２外板と、それらの間のコアとを含みうる。高さ調整可能なねじ式インサートをサンドイッチパネルの対応するボア内に取り付ける方法は、高さ調整可能なねじ式インサートの第１首部の少なくとも一部分、及び、第２首部の少なくとも一部分が、サンドイッチパネルのコア内の対応するボアの中に配置されるように、高さ調整可能なねじ式インサートを取り付けることと、高さ調整可能なねじ式インサートの高さを、第２フランジの第２上面がサンドイッチパネルと少なくとも実質的に同一平面になるまで、調整することとを、含みうる。高さ調整可能なねじ式インサートの高さは、例えば、第２フランジが第１フランジに向かって動くように第１インサート部品に対して第２インサート部品を動かすことによって、調整されてよく、高さを調整することは、第１インサート部品に対して第２インサート部品を長手方向に摺動させること、及び、第２インサート部品に対して第１インサート部品を回転させることを、含みうる。
【図面の簡単な説明】
【０００９】
【図１】サンドイッチパネル内に形成された盲ボアの中に配置された、従来技術のインサートの概略断面図であり、このインサートはサンドイッチパネルの外板と同一平面になっている。
【図２】サンドイッチパネル内に形成された貫通ボアの中に配置された、従来技術のインサートの概略断面図であり、このインサートはサンドイッチパネルの外板と同一平面になっている。
【図３】サンドイッチパネル対して配置された、従来技術のインサートの概略断面図である。
【図４】本開示による一又は複数の高さ調整可能なねじ式インサートを含む一又は複数のサンドイッチパネルを含みうる装置の、例示的で非排他的な例の概略斜視図である。
【図５】サンドイッチパネルのボアの中に配置された、本開示による高さ調整可能なねじ式インサートの例示的で非排他的な例の概略図である。
【図６】最大全高を有する構成の、本開示による高さ調整可能なねじ式インサートの立面図である。
【図７】最小全高を有する構成の、図６の高さ調整可能なねじ式インサートの立面図である。
【図８】本開示による高さ調整可能なねじ式インサートの第１インサート部品の斜視図である。
【図９】本開示による高さ調整可能なねじ式インサートの第２インサート部品の斜視図である。
【図１０】図８の第１インサート部品に対して動作可能に配置された、図９の第２インサート部品の断面図である。
【図１１】本開示による高さ調整可能なねじ式インサートの第１インサート部品の別の例の斜視図である。
【図１２】図１１の線１２−１２に沿って切った、図１１の第１インサート部品の断面図である。
【図１３】本開示による高さ調整可能なねじ式インサートの第２インサート部品の別の例の斜視図である。
【図１４】図１３の線１４−１４に沿って切った、図１３の第２インサート部品の断面図である。
【図１５】本開示による高さ調整可能なねじ式インサートのシステムの、例示的で非排他的な例の概略図である。
【図１６】本開示により、一又は複数の高さ調整可能なねじ式インサートを取り付け、その高さを調整する方法を表す、概略フロー図である。
【発明を実施するための形態】
【００１０】
図４を参照するに、本開示による一又は複数の高さ調整可能なねじ式インサート５０は、一又は複数のサンドイッチパネル１２（図１から図３のサンドイッチパネル１１に構造が類似したものでありうる）の中に取り付けられうる。例えば、一又は複数の高さ調整可能なインサート５０を含むかかるサンドイッチパネル１２は、航空宇宙産業、自動車産業、電気産業、建設業、軍事産業、レクリエーション産業、及び／又はモータースポーツ産業において、役立ちうる。図４では、一又は複数のサンドイッチパネル１２及び高さ調整可能なインサート５０を含みうる装置２８の一例が、航空機３０の形態で概括的に示されている。航空機３０は、民間航空機、軍用航空機、又は他の任意の適切な航空機を含む、任意の適切な形態をとりうる。図４は固定翼航空機の形態の航空機３０を示しているが、回転翼航空機及びヘリコプターを含む（ただしそれらに限定するわけではない）、他の種類及び構成の航空機も、本開示による航空機３０の範囲に含まれる。
【００１１】
装置２８（例えば航空機３０）は、一又は複数のサンドイッチパネル１２から形成された一又は複数の構造物３２を含んでよく、サンドイッチパネル１２のうちの一又は複数は複合パネルでありうる。図５に示しているように、各サンドイッチパネル１２は、典型的には六角形又は長方形の断面を有する複数の細長いセルなどの比較的軽量な材料で形成された、コア１４を含む。かかるコア１４はハニカムコアと称されることがあるが、波形構造及び／又は発泡材料などの、他の形状及び構成も使用されうる。コア１４は、オープンセル構造及び／又はクローズセル構造を含みうる。コア１４は、例えば、発泡体、アルミニウム、Ｎｏｍｅｘ(R)（アラミド）、カーボン、Ｋｏｒｅｘ、Ｋｅｖｌａｒ(R)、繊維ガラス、ポリエーテルスルホン、ポリ塩化ビニル、ポリウレタン、ポリエチレン発泡体、ポリスチレン発泡体、バルサ材、シンタクチックフォーム、ハニカム構造物、ポリマーハニカム、熱可塑性ハニカム、ステンレス鋼、ポリカーボネート、及び／又はポリプロピレンで、形成されうる。
【００１２】
サンドイッチパネル１２は、少なくとも２つの外板、三層サンドイッチ構造を形成するよう配設された、コア１４の一方の側に配置されている第１外板１６と、コア１４の別の（反対の）側に配置されている第２外板１８とを含む。第１外板１６は、第１外側パネル面３１と、第１外側パネル面３１の反対側の、第１内側パネル面３３とを含む。第２外板１８は、第２外側パネル面３５と、第２外側パネル面３５の反対側の、第２内側パネル面３７とを含む。コア１４が、一般的に第１内側パネル面３３と第２内側パネル面３７との間に延在すると共に、第１外側パネル面３１及び第２外側パネル面３５は、サンドイッチパネル１２の外表面を形成する。パネル外板（例えば第１外板１６及び第２外板１８）は典型的には剛性であり、コア１４が両外板間の間を埋めている。第１外板１６及び第２外板１８は、例えば、繊維ガラス強化型ポリマーの積層板、炭素繊維強化型ポリマーの積層板、熱硬化ポリマー、エポキシ、金属薄板、カーボン、アラミド、アルミニウム、鋼、合板、バルサ、チーク、及び／又は硬材で、形成されうる。第１外板１６と第２外板１８は、一部の例では同じ材料（複数可）で形成されうるか、又は、その他の例では別々の材料で形成されうる。
【００１３】
図４を再度参照するに、構造物３２は、一又は複数のサンドイッチパネル１２、２つ以上のサンドイッチパネル１２の間に形成された接合部、及び／又は、一又は複数のサンドイッチパネル１２を使用して形成された三次元構造物を含みうる。例示的で非排他的な例としては、構造物３２は、翼３４、胴体部３６、水平安定板３８、頭上収納棚４０、垂直安定板４２、及び、エンジンハウジング４４などの、航空機構造物において利用されうる。しかし、航空機３０のその他の構成要素も、追加的又は代替的に、サンドイッチパネル１２、及び／又は、２つ以上のサンドイッチパネル１２の間に形成された接合部といった、構造物３２を含みうる。本開示による一又は複数の高さ調整可能なインサート５０を含むサンドイッチパネル１２の、航空機３０における他の用途は、フロアパネル、内壁、食品取扱いギャレーアセンブリ、操縦翼面、旅客用保管棚、推力デフレクタアセンブリ、カプセルパネル、ノーズコーン用アブレーションシールド、器具類の筐体及び棚、並びにバルクヘッドパネルを含む。他の業界では、（一又は複数のサンドイッチパネル１２及び高さ調整可能なインサート５０を含む）装置２８の例は、宇宙衛星、電子レードーム構造物、輸送ビークル、シッピングコンテナ、シェルター、大型のアンテナ又はディスクリフレクタ、冷凍パネル、急速輸送フロアパネル、船上電子デッキシェルター、貨物用パレット、自動車の車体、建築用カーテンウォール、間仕切り、仕切り用パネル、拡張可能型救護シェルター、及び／又は、アセンブリの内部構造物を含みうるか、又は、それらの一部分でありうる。
【００１４】
ここで図５を参照するに、サンドイッチパネル１２のボア２０の中に取り付けられている高さ調整可能なねじ式インサート５０の例が、概略的に描かれている。一般的に、図面では、所与の例に含まれる可能性が高い要素は実線で示されているが、所与の例でオプションである要素は破線で示される。しかし、実線で示される要素が本開示のすべての例に必須というわけではなく、本開示の範囲を逸脱しなければ、実線で示される要素が特定の例から省略されることもある。
【００１５】
一般的に、高さ調整可能なねじ式インサート５０は、第１インサート部品５２と第２インサート部品５４とを有する、二部品インサートでありうる。第２インサート部品５４は、第１インサート部品５２に対して選択的に動作可能に配置され、かつ、サンドイッチパネル１２のボア２０の中に取り付けられるよう、構成されうる。高さ調整可能なねじ式インサート５０の全高５６は、より詳細に後述するように、第１インサート部品５２に対して第２インサート部品５４を動かすことなどによって、選択的に調整されうる。この様態では、高さ調整可能なねじ式インサート５０の高さ５６は選択的に調整されてよく、そのため、高さ調整可能なねじ式インサート５０は、サンドイッチパネル１２の外表面（例えば第１外側パネル面３１又は第２外側パネル面３５）と少なくとも実質的に同一平面になるように、取り付けられうる。
【００１６】
第１インサート部品５２は、第１上面６０及び第１下面６２を有する第１フランジ５８と、第１首部６４と、少なくとも第１首部６４を通って延在する第１孔部６６とを、含みうる。第１首部６４は、第１首部の第１フランジ５８の第１上面６０から第１首部端領域６７まで延在する。第１孔部６６は、第１首部６４の第１内表面６８によって、少なくとも部分的に画定されうる。一部の例では、第１孔部６６は、第１インサート部品５２全体を貫通して延在し、第１首部６４に加えて第１フランジ５８も通って延在しうる。一部の例では、第１孔部６６は、第１首部６４を部分的にのみ通って、又は、第１フランジ５８を部分的にのみ通って、延在しうる。
【００１７】
第２インサート部品５４は、第２上面７４及び第２下面７６を有する第２フランジ７２と、第２首部７８と、第２首部７８及び第２フランジ７２を通って延在する第２孔部８０とを、含みうる。第２首部７８は、第２フランジ７２の第２上面７６から第２首部端領域８１まで延在する。第２孔部８０は、第２首部７８の第２内表面８４、及び、第２フランジ７２の第３内表面８２によって、少なくとも部分的に画定されうる。図５に示しているように、第２孔部８０は、第２フランジ７２を通って延在する第１部分８６には小さい直径を、第２首部７８を通って延在する第２部分８８にはより大きな直径を、有しうる。第２孔部８０の第１部分８６が第１孔部６６と実質的に同じ直径を有しうる一方、第２孔部８０の第２部分８８は、第１首部６４の外径とおおよそ等しいか、又はそれよりも若干大きい内径を有しうる。ゆえに、第２首部７８の第２内表面８４が第１首部６４の第１外表面９０を係合するように、第２インサート部品５４は、第１インサート部品５２に対して選択的に動作可能に配置されるよう構成されうる。
【００１８】
例えば、高さ調整可能なねじ式インサート５０は、第２首部７８の第２内表面８４の少なくとも一部分と第１首部６４の少なくとも一部分（例えば第１首部６４の第１外表面９０）との間にねじ式係合が存在するように、構成されうる。この構成では（例えば、第２インサート部品５４が第１インサート部品５２に対して動作可能に配置されると）、高さ調整可能なねじ式インサート５０は、第１孔部６６と第２孔部８０とが少なくとも実質的に同心になるように構成されうる。この様態では、ボルト又はその他のファスナなどの副次的物体９２が、高さ調整可能なねじ式インサート５０を通して（例えば、第２孔部８０を通して第１孔部６６の中に、かつ／又は第１孔部６６を通して）挿入されうる。かかる副次的物体９２は、ハードウェア又はその他の構造物をサンドイッチパネル１２に固定するため、荷重をサンドイッチパネル１２に転嫁するため、アイテムをサンドイッチパネル１２に固定するため、及び／又は、サンドイッチパネル１２の一方の側から他方へ（例えば、第１外板１６から第２外板１８へ）と物体を通すために、役立ちうる。
【００１９】
（第２フランジ７２の第２上面７４と第１フランジ５８の第１下面６２との間の垂直距離として画定された）高さ調整可能なねじ式インサート５０の全高５６は、第１インサート部品５２に対して第２インサート部品５４を動かすことによって、選択的に調整可能でありうる。例えば、第２フランジ７２が第１フランジ５８に向かって動くように、第２インサート部品５４を動かすことで、高さ調整可能なねじ式インサート５０の全高５６が減少する。一部の例では、第２インサート部品５４は、第２首部７８が第１首部６４に沿って長手方向に、第１首部６４に対して移動する（例えば、第２インサート部品５４に力が印加されうる）ように、かつ、第２フランジ７２が第１フランジ５８に向かって動くように、長手方向（例えば矢印９３で示す方向）に摺動してよく、高さ調整可能なねじ式インサート５０の高さが減少する。換言すると、第１インサート部品５２と第２インサート部品５４とは、互いに対して、摺動可能に並行移動しうる。
【００２０】
第１インサート部品５２と第２インサート部品５４とは、互いに対して回転可能でもありうる。例えば、高さ調整可能なねじ式インサート５０の全高５６を調整するために、高さ調整可能なねじ式インサート５０がボア２０の中に少なくとも部分的に挿入される前、又は挿入された後の、第１インサート部品５２に対する第２インサート部品５４の径方向運動（例えば回転）も、使用されうる。一部の例では、第１インサート部品５２に対して第２インサート部品５４を、第１方向に選択的に回転させることで、高さ調整可能なねじ式インサート５０の全高が減少してよく、第１インサート部品５２に対して第２インサート部品５４を、第１方向とは反対の第２方向に選択的に回転させることで、高さ調整可能なねじ式インサート５０の全高が増大しうる。追加的又は代替的には、全高５６を調整するために、第２インサート部品５４の一部分が一時的に径方向に拡張し、第１インサート部品５２のフィーチャ上でラチェット（ｒａｔｃｈｅｔ）しうるように、第２インサート部品５４の一部分を拡張することによって、高さ調整可能なねじ式インサート５０の全高５６が調整可能でありうる。
【００２１】
一部の例では、第１インサート部品５２は、第１ねじ部１０４を含みうる。例えば、第１首部６４の第１外表面９０が、第１ねじ部１０４を含みうる。一部の例では、第１ねじ部１０４は、第１首部６４の実質的に全長に沿って、例えば、実質的に第１フランジ５８の第１上面６０から第１首部端領域６７まで、延在しうる。一部の例では、第１ねじ部１０４は、第１首部６４の一部分だけに沿って延在しうる。一部の例では、第１ねじ部１０４は二重ねじピッチを有しうる。追加的又は代替的には、第１ねじ部１０４は雄ねじでありうる。第２インサート部品５４は、第２ねじ部１０６を含みうる。例えば、第２首部７８の第２内表面８４が、第２ねじ部１０６を含みうる。一部の例では、第２ねじ部１０６は、第２首部７８の実質的に全長に沿って、例えば、実質的に第２フランジ７２の第２下面７６から第２首部端領域８１まで、延在しうる。一部の例では、第２ねじ部１０６は、第２首部７８の一部分だけに沿って延在しうる。一部の例では、第２ねじ部１０６は二重ねじピッチを有しうる。追加的又は代替的には、第２ねじ部１０６は雌ねじでありうる。
【００２２】
一部の例では、高さ調整可能なねじ式インサート５０は、ねじ部を係合するよう構成されている、ねじ係合クリップを含みうる。例えば、第１インサート部品５２に対する第２インサート部品５４の回転が第１係合クリップ１０８を第２ねじ部１０６に沿って移動させるように、第１インサート部品５２は、第２インサート部品５４の第２ねじ部１０６を係合するよう構成されている一又は複数の第１ねじ係合クリップ１０８を含みうる。一又は複数の第１ねじ係合クリップ１０８は、第１首部６４の第１外表面９０から径方向に外向きに延在し（例えば外向きに突出し）、かつ、第２首部７８の第２内表面８４と（例えば第２ねじ部１０６と）係合するよう、配置されうる。第１ねじ係合クリップ１０８は、第１首部６４の第１外表面９０の周囲に、例えば実質的に等距離に離間して配置されうる。第１ねじ係合クリップ１０８は、図５に示しているように、第１首部端領域６７に隣接して配置されうる。第１ねじ係合クリップ１０８の各々は、一部の例では部分ねじでありうる。
【００２３】
同様に、第１インサート部品５２に対する第２インサート部品５４の回転が第２ねじ係合クリップ１１０を第１ねじ部１０４に沿って移動させるように、第２インサート部品５４は、第１インサート部品５２の第１ねじ部１０４を係合するよう構成されている一又は複数の第２ねじ係合クリップ１１０を含みうる。一又は複数の第２ねじ係合クリップ１１０は、第２首部７８の第２内表面８４から径方向に内向きに延在し（例えば内向きに突出し）、かつ、第１首部６４の第１外表面９０と（例えば第１ねじ部１０４と）係合するよう、配置されうる。第２ねじ係合クリップ１１０は、第２首部７８の第２内表面８４の周囲に、例えば実質的に等距離に離間して配置されうる。第２ねじ係合クリップ１１０は、図５に示しているように、第２首部端領域８１に隣接して配置されうる。第２ねじ係合クリップ１１０の各々は、一部の例では部分ねじでありうる。
【００２４】
第２インサート部品５４の第２首部７８は、一部の例では、一又は複数の長手方向に延在する溝（ｓｌｏｔ）１１２を含みうる。一部の例では、長手方向に延在する溝１１２は、第２首部７８の全厚を貫通して（例えば、第２内表面８４から第２外表面１００まで）延在しうる。一部の例では、長手方向に延在する溝１１２は、第２首部７８の厚みの一部分のみを通って延在しうる。例えば、長手方向に延在する溝１１２は、第２首部７８の第２内表面８４内に形成されうる。一部の例では、長手方向に延在する溝１１２は、第２首部７８の第２首部端領域８１から第２フランジ７２に向かい、第２首部７８の長さの少なくとも一部分に沿って、長手方向に延在しうる。一部の例では、長手方向に延在する溝１１２は、第２首部７８の第２首部端領域８１から、第２フランジ７２付近まで、長手方向に延在しうる。一部の例では２つの長手方向に延在する溝が形成されうるが、別の例は、もっと多い、又は少ない数の長手方向に延在する溝１１２を含みうる。
【００２５】
長手方向に延在する溝１１２は、第２首部７８の少なくとも一部分の径方向の拡張を可能にするよう、構成されうる。例えば、複数の長手方向に延在する溝１１２は、長手方向に延在する溝１１２の一又は複数の対を形成するために互いに離間していることがあり、そのため、径方向に拡張可能なタブ１１４が長手方向に延在する溝１１２の隣接対それぞれの間に形成される。径方向に拡張可能なタブ１１４の各々は、径方向に拡張可能なタブ１１４の各々に対応して第２首部７８の第２内表面８４の対応部分に配置された、対応する第２ねじ係合クリップ１１０を含みうる。上記の例では、第２インサート部品５４は、第２インサート部品５４が第１インサート部品５２に対して長手方向に動くときに第２ねじ係合クリップ１１０が第１インサート部品５２の第１ねじ部１０４の一又は複数のねじ山を長手方向に通り過ぎるように、一又は複数の径方向に拡張可能なタブ１１４の各々を径方向に拡張させることによって、第１インサート部品５２に対して動作可能に配置されるよう、構成されうる。ゆえに、第２インサート部品５４は、径方向に拡張可能なタブ１１４を径方向に拡張させること、及び、第１ねじ部１０４に沿って第２ねじ係合クリップ１１０をラチェットさせることによって、第１インサート部品５２に対して長手方向に動くよう、構成されうる。第２係合クリップ１１０は、第２インサート部品５４が第１インサート部品５２に対して動作可能に配置されると第１インサート部品５２の第１ねじ部１０４を把持するよう、構成されうる。
【００２６】
一部の例では、長手方向に延在する溝１１２は、第２ねじ部１０６が長手方向に延在する溝１１２の各々において不連続になりうるように、第２首部７８の第２内表面８４の第２ねじ部１０６内に形成されうる。長手方向に延在する溝１１２の各々は、第１ねじ係合クリップ１０８の各々が、第２インサート部品５４が第１インサート部品５２に対して動作可能に配置されると対応する長手方向に延在する溝１１２に沿って長手方向に摺動するよう構成されうるように、第１インサート部品５２の第１首部６４の第１外表面９０上に配置された対応する第１ねじ係合クリップ１０８を受容するよう、構成されうる。
【００２７】
一部の高さ調整可能なねじ式インサート５０では、第１インサート部品５２の第１首部６４は、一又は複数の長手方向に延在するチャネル１１６を含みうる。長手方向に延在するチャネル１１６は、第１インサート部品５２の第１首部６４の第１首部端領域６７から第１インサート部品５２の第１フランジ５８に向かって、延在しうる。長手方向に延在するチャネル１１６は、第１インサート部品５２の第１首部６４の第１内表面６８から径方向に外向きに形成されてよく、第１首部６４の第１内表面６８の周囲に、実質的に等距離に互いから離間して配置されうる。一部の例では、２つの長手方向に延在するチャネル１１６が形成されうるが、その他の例は、もっと多い、又は少ない数の長手方向に延在するチャネル１１６を含みうる。長手方向に延在するチャネル１１６は、第１首部６４の第１外表面９０上に配置された一又は複数の第１ねじ係合クリップ１０８と、互い違いにされうる。かかる長手方向に延在するチャネル１１６は、第２インサート部品５４が第１インサート部品５２に対して動作可能に配置されると、第２インサート部品５４が第１インサート部品５２に対して回転する際に第１インサート部品５２の回転を実質的に防止するよう構成されているツールを係合するよう、構成されうる。例えば、ツールが第２孔部８０及び第１孔部６６の中に挿入されうるように、かつ、ツールが長手方向に延在するチャネル１１６を係合し、それによって第２インサート部品５４がボア２０に対して回転する際のボア２０に対する第１インサート部品５２の回転に抗しうるように、長手方向に延在するチャネル１１６は、第２インサート部品５４が第１インサート部品５２に対して動作可能に配置されると、第２インサート部品５４の第２孔部８０及び第１インサート部品５２の第１孔部６６を介してアクセス可能になりうる。
【００２８】
高さ調整可能なねじ式インサート５０は、インサートの両側へのアクセスを必要とせずに、調整可能でありうる（例えば、高さ調整可能なねじ式インサート５０の高さ５６は、第２外板１８又は第１フランジ５８へのアクセスを必要とせずに、隣接している第１外板１６及び第２フランジ７２などのサンドイッチパネル１２の一方の側だけから調整可能でありうる）。このことは、サンドイッチパネル１２の一方の側だけがアクセス可能である場合の、及び／又は、正確なインサートサイズを確認することが困難であるときの用途では、有利でありうる。
【００２９】
高さ調整可能なねじ式インサート５０の全高５６は、矢印９３に沿って第１インサート部品５２に対して第２インサート部品５４を長手方向に平行移動させることによって、及び／又は、第１インサート部品５２に対して第２インサート部品５４を回転させることによって、選択的に調整されうる。高さ調整可能なねじ式インサート５０は、第２インサート部品５４が第１インサート部品５２に対して動作可能に配置され、かつ、高さ調整可能なねじ式インサート５０がサンドイッチパネル１２のボア２０内に取り付けられると、第２フランジ７２の第２上面７４がサンドイッチパネル１２の第１外板１６か第２外板１８のいずれかと少なくとも実質的に同一平面になるまで全高５６が調整可能になりうるように、構成されうる。本書においては、２つの表面が互いに、少なくとも実質的に、同じ高さであるか、又は位置が合っている場合に、１つの表面が別の表面と「実質的に同一平面」となる。例えば、高さ調整可能なねじ式インサート５０の同一平面取り付けとは、インサートがサンドイッチパネル内に取り付けられると、第２フランジ７２の第２上面７４（例えば第２フランジ７２の外表面）がサンドイッチパネル１２の外板の外表面と少なくとも実質的に同一平面（例えば、実質的に同じ高さ）になる、取り付けのことである。例えば、図５に示しているように、高さ調整可能なねじ式インサート５０は、高さ調整可能なねじ式インサート５０がボア２０の中に取り付けられると、第２フランジ７２の第２上面７４が第１外板１６と実質的に同一平面になるように、構成される。なぜなら、第２フランジ７２の第２上面７４が、第１外板１６の第１外側パネル面３１と実質的に同じ高さになるからである。第２上面７４に隣接する第２フランジ７２の直径は、かかる同一平面取り付けを容易にするために、ボアの直径とおおよそ等しく、又はボアの直径よりも若干小さくされうる。
【００３０】
加えて、第１フランジ５８の第１下面６２は、高さ調整可能なねじ式インサート５０がボア２０の中に取り付けられると、第２外板１８と実質的に同一平面になりうる。換言すると、第１フランジ５８の第１下面６２は、図示しているように、第２外側パネル面３５と少なくとも実質的に同じ高さになりうる。一部の例では、全高５６の調整の大部分は、第１インサート部品５２に対して第２インサート部品５４を長手方向に摺動させることによって、実施されうる（例えば、全高５６は、第１インサート部品５２に対して第２インサート部品５４を長手方向に摺動させることによって、主に（例えば大まかに）調整されうる）。第１インサート部品５２に対する第２インサート部品５４の回転は、高さ調整可能なねじ式インサート５０の全高５６の微細な調整に適するよう、設定されうる。高さ調整可能なねじ式インサート５０は、第２インサート部品５４が第１インサート部品５２に対して動作可能に配置され、かつ、高さ調整可能なねじ式インサート５０がボア２０内に取り付けられてから、第２フランジ７２の第２上面７４がサンドイッチパネル１２（例えば第１外側パネル面３１）と少なくとも実質的に同一平面になるように、高さ調整可能なねじ式インサート５０の全高を（それが一旦調整されると）少なくとも実質的に維持するよう、構成されうる。
【００３１】
一部の例では、高さ調整可能なねじ式インサート５０は、高さ調整可能なねじ式インサート５０がサンドイッチパネル１２内に一旦完全に挿入されると、サンドイッチパネル１２に対する高さ調整可能なねじ式インサート５０の回転に抗するよう構成されている、一又は複数の回転防止フィーチャ９６を含みうる。例えば、回転防止フィーチャ９６は、ボア２０と高さ調整可能なねじ式インサート５０との間に画定されているボア２０の中の空間９８内に注入されたポッティング化合物又はその他の接着剤と係合しうる、テクスチャ加工された（ｔｅｘｔｕｒｅｄ）表面を含みうる。例えば、回転防止フィーチャ９６は、第２首部７８の第２外表面１００のテクスチャ加工された表面を含みうる（例えば、第２首部７８の第２外表面１００は、テクスチャ加工されてよく、かつ／或いは、第２外表面１００上に堆積された又は付着した、テクスチャ加工されたコーティングであって、回転防止フィーチャ９６として機能しうる、テクスチャ加工されたコーティングを有しうる）。第２首部７８の第２外表面１００の一部又は全部が、テクスチャ加工されうる。一部の例では、回転防止フィーチャ９６は、第１フランジ５８、第１首部６４、及び／又は第２フランジ７２といった、高さ調整可能なねじ式インサート５０の別の部分上の、テクスチャ加工された表面を含みうる。回転防止フィーチャ９６は、高さ調整可能なねじ式インサート５０が一旦ボア２０内に取り付けられるとサンドイッチパネル１２に対する高さ調整可能なねじ式インサート５０の回転に抗するよう構成されている、高さ調整可能なねじ式インサート５０の任意の構造又は構成要素を含みうる。
【００３２】
第２外表面１００がテクスチャ加工されることに加えて、又はそれに代えて、回転防止フィーチャ９６は、例えば第１フランジ５８の第１下面６２に隣接して、第１フランジ５８から延在する、複数の径方向に延在する突起９４を含みうる。例えば、径方向に延在する突起９４は、第１フランジ５８の外周エッジ領域９５の周囲に離間して配置されうる（例えば、径方向に延在する突起９４は、一部の例では、第１下面６２に隣接して、第１フランジ５８の円周の周囲に離間して配置されうる）。高さ調整可能なねじ式インサート５０は、少なくとも１つ、少なくとも２つ、少なくとも３つ、少なくとも４つ、少なくとも５つ、少なくとも６つ、少なくとも７つ、少なくとも８つ、少なくとも９つ、少なくとも１０個、少なくとも１２個、少なくとも１５個、少なくとも２０個、少なくとも２５個、及び／又は、少なくとも５０個の、径方向に延在する突起９４などの、任意の適切な数の径方向に延在する突起９４を含みうる。径方向に延在する突起９４は、第１孔部６６から第１フランジ５８の突起以外の部分よりも遠くへと径方向に延在する、局所的な伸長部でありうる。径方向に延在する突起９４は、第１フランジ５８と一体型に形成されうるか、或いは、第１フランジ５８に固定され、又は連結されうる。一部の例では、径方向に延在する突起９４は、第１フランジ５８と同じ材料で形成されうる。その他の例では、径方向に延在する突起９４は、第１フランジ５８とは異なる材料で形成されうる。一部の例では、径方向に延在する突起９４の各々は、第１フランジ５８の周面１０２から延在してよく、かつ、径方向に延在する突起９４が、第２インサート部品５４が第１インサート部品５２に対して回転する際にボア２０に対する第１インサート部品５２の回転に抗するよう構成されうるように、サンドイッチパネル１２のコア１４及び／又は外板（例えば図５の第２外板１８）を把持し、それらを係合するよう設計された、小型歯様突起でありうる。
【００３３】
使用にあたり、高さ調整可能なねじ式インサート５０は、第１インサート部品５２及び第２インサート部品２５がサンドイッチパネル１２のボア２０内に少なくとも部分的に一旦挿入されるとインサートの全高５６が選択的に調整可能になるように、構成されうる。例えば、盲ボアの場合には、第１インサート部品５２は、サンドイッチパネル１２のボア２０内に載置されてよく、第１フランジ５８がボア２０の基部に隣接して配置されることによって、第１首部６４がボア２０の内部において基部から遠ざかる方向に延在するように、ボア２０の中に配置されうる。図５に示しているような貫通ボアの場合、第１インサート部品５２は、サンドイッチパネル１２のボア２０内に載置されてよく、第１フランジ５８がパネル外板の一方に隣接して（例えば第２外板１８に隣接して）配置されるように、かつ、第１首部６４が外板から遠ざかる方向にボア２０の中へと、他方のパネル外板に向かって延在するように、ボア２０の中に配置されうる（例えば、第１首部６４は、第２外板１８から遠ざかる方向にボア２０の中へと、第１外板１６に向かって、又はその逆に、延在しうる）。
【００３４】
第２インサート部品５４は、第１インサート部品５２に対して、動作可能に配置されうる。第１インサート部品５２に対する第２インサート部品５４のかかる動作可能な配置は、第１インサート部品５２がボア２０の中に配置される前、又は配置された後に、実施されうる。一部の例では、第２インサート部品５４は、第２首部７８が第１首部６４の周囲に載置されるように、第１インサート部品５２に対して動作可能に配置されうる（例えば、第２首部７８の第２内表面８４が、第１首部６４の第１外表面に隣接して配置され、かつそれと係合しうる）。図５に示しているように、第２インサート部品５４は、第２首部７８が第１インサート部品５２の第１フランジ５８と第２インサート部品５４の第２フランジ７２との間に配置されるように、かつ、第２首部７８がボア２０内へと（例えば、ボア２０の基部に向かって、かつ／又は、図５に示すように第２外板１８に向かって）延在するように、配向されうる。
【００３５】
高さ調整可能なねじ式インサート５０の高さ５６は、最大高さと最小高さとの間で調整可能でありうる。かかる最大高さと最小高さとの差は、少なくとも、０．０５インチ（ｉｎ）（１．２７ミリメートル（ｍｍ））、少なくとも０．１０ｉｎ（２．５４ｍｍ）、少なくとも０．１５ｉｎ（３．８１ｍｍ）、少なくとも０．２０ｉｎ（５．０８ｍｍ）、少なくとも０．３０ｉｎ（７．６２ｍｍ）、少なくとも０．４０ｉｎ（１０．１６ｍｍ）、少なくとも０．５ｉｎ（１２．７ｍｍ）、少なくとも０．６ｉｎ（１５．２４ｍｍ）、少なくとも０．７ｉｎ（１７．７８ｍｍ）、少なくとも０．８ｉｎ（２０．３２ｍｍ）、少なくとも０．９ｉｎ（２２．８６ｍｍ）、かつ／又は、少なくとも１．０ｉｎ（２５．４ｍｍ）でありうる。一部の例では、最大高さと最小高さとの差は、最大高さの少なくとも１０％、最大高さの少なくとも１５％、最大高さの少なくとも２０％、最大高さの少なくとも２５％、最大高さの少なくとも３０％、最大高さの少なくとも３５％、最大高さの少なくとも４０％、最大高さの少なくとも４５％、かつ／又は、最大高さの少なくとも５０％である。
【００３６】
第１インサート部品５２及び第２インサート部品５４は、任意の適切な材料で作製されうる。一部の例では、第１インサート部品５２及び／又は第２インサート部品５４はポリマー製でありうる。一部の例では、第１インサート部品５２及び／又は第２インサート部品５４は金属製でありうる。有利には、高さ調整可能なねじ式インサート５０の一部の例は、ツールの使用を必要とせずに、サンドイッチパネル１２内に取り付けられ、かつ、同一平面取り付けに適するように調整されるよう、構成されうる。
【００３７】
サンドイッチパネル１２は、互いから離間して配置された、複数のボア２０を含みうる。一部の例では、少なくとも１つのボア２０が、第１外板１６、及びコア１６の少なくとも一部分を通って、形成されうる。追加的又は代替的には少なくとも１つのボア２０が、第２外板１８、及びコア１４の少なくとも一部分を通って、形成されうる。一部の例では、少なくとも１つのボア２０は盲ボアであってよく、そのため、このボアはサンドイッチパネル１２の全体を貫通して延在するわけではない（例えば、ボア２０は、第１外板１６を通って形成され、コア１４の一部分を通って第２外板１８向かって延在しうる）。追加的又は代替的には、少なくとも１つのボア２０は貫通ボアであり、第１外板１６と第２外板１８の両方を通って、コア１４の全体を貫通して延在しうる。一部の例では、所与のサンドイッチパネル１２は、種々の深さの複数のボア２０を含みうる。ゆえに、それぞれのボア２０内に対応する種々の高さ調整可能なねじ式インサート５０が取り付けられうるように、複数の高さ調整可能なねじ式インサート５０が提供されうる。高さ調整可能なねじ式インサート５０の調整可能な性質により、同じサイズの高さ調整可能なねじ式インサート５０は、複数の異なるボア深さで使用可能であり、かつ、対応する高さ調整可能なねじ式インサート５０が載置されるそれぞれのボア２０の高さにしたがって、調整されうる。一部の例では、システムは、複数のサイズの高さ調整可能なねじ式インサート５０を含んでよく、比較的少ない数のサイズの高さ調整可能なねじ式インサート５０で、ずっと多くの数のサイズの従来型インサートを置換しうる。
【００３８】
一又は複数のボア２０は、一部の例では、少なくとも実質的に円筒形でありうる（例えば、一又は複数のボア２０は実質的に円形の断面区域を有しうる。）。追加的又は代替的には、一又は複数のボア２０は、その他の断面区域、例えば長円形、楕円形、長方形、三角形、多角形、及び／又は不規則形状の断面区域を有しうる。高さ調整可能なねじ式インサート５０がボア２０の中に一旦配置されると、ポッティング化合物、急速硬化化合物、及び／又はＵＶ硬化化合物などの接着剤が、コア１４と高さ調整可能なねじ式インサート５０との間に（例えば、コア１４と高さ調整可能なねじ式インサート５０との間の空間９８内に）挿入（例えば注入）されうる。例えば、ポッティング化合物は、ポッティング化合物が第２インサート部品５４の第２首部７８に隣接して空間９８内に挿入されるように、一又は複数のベント１１８（図１０参照）を通じて注入されうる。かかるポッティング化合物は、硬化し、それによって更に、例えば第２首部７８の第２外表面１００上のテクスチャ加工された表面という形態の回転防止フィーチャ９６と相互作用することにより、高さ調整可能なねじ式インサート５０をボア２０の中で定位置に固定しうる。
【００３９】
ここで図６から図１４を参照するに、高さ調整可能なねじ式インサート５０、及びその構成要素又は部分の、例示的で非排他的な例が示されている。図５の概略図の参照番号が、図６から図１４の例の対応する部分を指し示すために適宜使用される。しかし、図６から図１４の例は、非排他的であり、高さ調整可能なねじ式インサートを図６から図１４に示す実施形態に限定するわけではない。つまり、高さ調整可能なねじ式インサート５０は、図６から図１４の特定の実施形態に限定されるわけではなく、図５の概略的な描写及び／又は図６から図１４の実施形態に図示され、かつ、それらを参照して解説されている高さ調整可能なねじ式インサートの、任意の数の様々な態様、構成、特徴、特性等、並びにそれらの変形例を包含しうるが、かかる態様、構成、特徴、特性等の全てを含むことを必要としない。説明を簡潔にするために、前述の構成要素、部品、部分、態様、領域等の各々、又はそれらの変形例は、図６から図１４の例に関連して再度説明、図示、及び／又は標識されないことがある。しかし、前述の特徴や変形例等が図６から図１４の例と共に利用されうるということは、本開示の範囲に含まれる。
【００４０】
図６〜図７は、図５の高さ調整可能なねじ式インサート５０の一例である、高さ調整可能なねじ式インサート１２０を示している。図６は、最大の動作可能アセンブリ高さ１２２を有する構成の、高さ調整可能なねじ式インサート１２０を示しており、最大の動作可能アセンブリ高さ１２２は、高さ調整可能なねじ式インサート１２０が組み立てられたときの（例えば、図示しているように、第２インサート部品５４が第１インサート部品５２に対して動作可能に配置されているときの）、第２インサート部品５４の第２上面７４と第１インサート部品５２の第１下面６２との間の垂直距離として測定されうる。高さ調整可能なねじ式インサート１２０の高さは、例えば第１インサート部品５２に対して第２インサート部品５４を動かすことによって、調整されうる。例えば、第２インサート部品５４は、第２フランジ７２が第１フランジ５８に向かって動くように動かされ、それにより、高さ調整可能なねじ式インサート１２０の高さを減少させうる。一部の例では、例えば矢印１２４で示す方向に、第２インサート部品５４に力が印加され、それにより、第２インサート部品５４の第２フランジ７２が第１インサート部品５２の第１フランジ５８に向けて動きうる。
【００４１】
図７は、最小の動作可能アセンブリ高さ１２６を有する構成の、高さ調整可能なねじ式インサート１２０を示しており、最小の動作可能アセンブリ高さ１２６は、高さ調整可能なねじ式インサート１２０が組み立てられ、かつ、高さ調整可能なねじ式インサート１２０の全高が既に可能な限り低減された（例えば、第２インサート部品５４が、図６の矢印１２４に沿って第１インサート部品５２に向かって既に移動した）ときの、第２インサート部品５４の第２上面７４と第１インサート部品５２の第１下面６２との間の垂直距離として、測定されうる。高さ調整可能なねじ式インサートは、図６の最大の動作可能アセンブリ高さ１２２と図７の最小の動作可能アセンブリ高さ１２６とを含む、それらの間の任意の高さに、選択的に調整可能でありうる。一部の例では、図７に示しているように、第２首部７８の第２首部端領域８１は、かかる最小の動作可能アセンブリ高さ構成においては、第１フランジ５８と係合し、第１フランジ５８に接触し、かつ／又は、第１フランジ５８に隣接して配置されうる。しかし、一部の実施形態では、たとえ最小の動作可能アセンブリ高さ構成においても、第２首部端領域８１と第１フランジ５８との間に間隙が存在しうる。
【００４２】
ここで図８から図１０を参照するに、図８は第１インサート部品１２８（第１インサート部品５２の一例）を示し、図９は、第２インサート部品１３０（第２インサート部品５４の一例）を示す。図１０は、図９の第２インサート部品１３０が図８の第１インサート部品１２８に対して動作可能に配置されている、高さ調整可能なねじ式インサート１３２（高さ調整可能なねじ式インサート５０の一例）の断面を示している。図１０に示しているように、第１孔部６６及び第２孔部８０は、それらを通じて副次的物体（例えば図５の副次的物体９２）を受容するために、少なくとも実質的に同心でありうる。第２インサート部品１３０は、第２首部７８の第２内表面８４の一部分（例えば第２首部７８の第２ねじ係合クリップ１１０）が、第１インサート部５２の第１首部６４の第１外表面９０の一部分と摺動可能に係合するように、第１インサート部１２８に対して動作可能に配置されうる。例えば、第２ねじ係合クリップ１１０は、高さ調整可能なねじ式インサート１３２の全高を減少させるために、第１首部６４の第１ねじ部１０４に沿って（矢印１２４に実質的に沿って）、長手方向に摺動するか、又はラチェットしうる。
【００４３】
第２ねじ係合クリップ１１０が連続するねじ山の各々を（例えば、第１ねじ山１３４、第２ねじ山１３６、第３ねじ山１３８などを）通り過ぎるにつれて、径方向に拡張可能なタブ１１４（図９）は、径方向に若干拡張して、第２ねじ係合クリップ１１０がそれぞれのねじ山を通り過ぎることを可能にしうる。第２ねじ係合クリップ１１０が対応するねじ山を一旦通り過ぎると、径方向に拡張可能なタブ１１４は、径方向に収縮し、それにより、第２ねじ係合クリップ１１０が第１ねじ部１０４を把持するように、第２ねじ係合クリップ１１０を隣接するねじ山の対の間に配置するよう、構成されうる。この様態では、高さ調整可能なねじ式インサート１３２が、一端調整されるとその全高を維持するよう構成されるように、第１インサート部品１２８と第２インサート部品１３０とがラチェット関係を有する（例えば、第２ねじ係合クリップ１１０と第１ねじ部１０４との係合は、全高の増大、又は、矢印１４０の方向の第１インサート部品１２８に対する第２インサート部品１３０の動きに抗するよう、構成されうる）。
【００４４】
第１インサート部品１２８に対する第２インサート部品１３０の回転は、第２ねじ係合クリップ１１０を、第１ねじ部１０４に沿って径方向に移動させうる。この様態では第２インサート部品１３０は、第２ねじ係合クリップ１１０を第１ねじ部１０４と係合させること、及び、第１インサート部品１２８に対して第２インサート部品１３０を回転させることによって、第１インサート部品１２８に螺合しうる。第２インサート部品１３０を１つの方向に回転させることによって、高さ調整可能なねじ式インサート１３２の全高が増大してよく（例えば、第２フランジ７２が、矢印１２４に沿って第１フランジ５８に向かって動きうる）、第２インサート部品１３０を反対の方向に回転させることによって、高さ調整可能なねじ式インサート１３２の全高が減少しうる（例えば、第２フランジ７２が、矢印１４０に沿って第１フランジ５８から離れる方向に動きうる）
【００４５】
図９に示しているように、第２ねじ係合クリップ１１０は、径方向に拡張可能なタブ１１４が径方向に外側に拡張すると第２ねじ係合クリップ１１０もそうなるように、長手方向に延在する溝１１２の対応する対の間に配置されうる。第２インサート部品１３０は、長手方向に延在する溝１１２の２つの対を含み、それにより、対応する１つの第２ねじ係合クリップ１１０をそれぞれ有する２つの径方向に拡張可能なタブ１１４を画定するが、一部の例では、それらの数はそれぞれ、もっと多いか、又は少ないことも可能である。図９に示しているように、長手方向に延在する溝１１２は、第２内表面８４から第２外表面１００まで第２首部７８の全厚を貫通して延在しうる。長手方向に延在する溝１１２は、第２首部端領域８１から第２フランジ７２に向かって延在し、第２ねじ係合クリップ１１０は、第２首部７８の第２内表面８４上の、径方向に拡張可能なタブ１１４の各々に対応する部分に、配置される。
【００４６】
第２首部７８の第２外表面１００は、高さ調整可能なねじ式インサート１３２がサンドイッチパネルの中に取り付けられ、かつ、ポッティング化合物がボア内に挿入されてから回転防止フィーチャ９６として機能するために、テクスチャ加工されうるが、一部の例では、第２外表面１００は、実質的にテクスチャ加工されないことがある。追加的又は代替的には、図８及び図１０に示しているように、第１インサート部品１２８の第１フランジ５８は複数の径方向に延在する突起９４を含んでよく、径方向に延在する突起９４は、第２インサート部品１３０が第１インサート部品１２８に対して回転する際に、第１インサート部品１２８が、それが取り付けられているボアに対する回転に抗するよう構成されうるように、回転防止フィーチャ９６として機能するよう、構成されうる。第１フランジ５８の外周エッジ領域９５に隣接して配置された、径方向に延在する突起９４が図示されているが、径方向に延在する突起９４は、第１フランジ５８の周面１０２の任意の場所に配置されうる。径方向に延在する突起９４は、図示されている例と比べて、もっと大きい、又は小さいものであってよく、数がもっと多く、又は少なくてよく、かつ／或いは、別様に形作られうる。
【００４７】
図１１から図１４は、第１インサート部品１４２（図１１から図１２）及び第２インサート部品１４４（図１３から図１４）を有する、高さ調整可能なねじ式インサート５０の一例の構成要素を示している。第１インサート部品１４２は第１インサート部品５２の一例であり、第２インサート部品１４４は第２インサート部品５４の一例である。後述するように、第２インサート部品１４４は、第１インサート部品１４２に対して動作可能に配置されて、高さ調整可能なねじ式インサートを形成しうる。
【００４８】
図１１は第１インサート部品１４２の斜視図を示し、図１２は第１インサート部品１４２の断面図を示している。図１１から図１２に示しているように、第１インサート部品１４２は、第１首部６４の第１外表面９０から径方向に外向きに延在するよう配置された、２つの第１ねじ係合クリップ１０８を含む。図１１から図１２に示す例は２つの第１ねじ係合クリップ１０８を含むが、他の例では、もっと多い又は少ない数も可能である。第１ねじ係合クリップ１０８は、図示しているように、互いから実質的に等距離に離間していることがある。第１ねじ係合クリップ１０８は、第１首部端領域６７付近に配置されるものであり、かつ、図１３から図１４の第２インサート部品１４４の第２ねじ部１０６と係合するよう構成されうる。
【００４９】
第１インサート１４２は、第１首部６４の第１内表面６８内に形成され、かつ、第１首部６４の厚みを部分的に通って径方向に延在する、２つの長手方向に延在するチャネル１１６も含む。長手方向に延在するチャネル１１６は、第１首部端領域６７から第１フランジ５８に向かって長手方向に延在しうるが、図１２に示しているように、一部の例では、第１首部６４の全長に沿って延在しないこともある。長手方向に延在するチャネル１１６は、第２インサート部品１４４が第１インサート部品１４２に対して回転する際に第１インサート部品１４２の回転に抗するために、ツールが、第１孔部６６を通じて挿入され、かつ、長手方向に延在するチャネル１１６と係合しうるように、第１孔部６６を介してアクセス可能でありうる。第１インサート部品１４２は２つのかかる長手方向に延在するチャネル１１６を含むが、他の例では、もっと多い又は少ない数も可能である。長手方向に延在するチャネル１１６は、図示しているように、互いから実質的に等距離に離間していることがある。加えて、長手方向に延在するチャネル１１６は、図示しているように、第１ねじ係合クリップ１０８と互い違いにされうる（例えば、第１ねじ係合クリップ１０８は、長手方向に延在するチャネル１１６と交互に、第１首部端領域６７の円周の周囲に等間隔に離間していることがある）。
【００５０】
図１３から図１４の第２インサート部品１４４は、第２首部７８の第２内表面８４の中に形成された雌ねじの形態の、第２ねじ部１０６を含む。第２フランジ７２に形成された２つのベント１１８が示されており、２つのベントは、第２インサート部品１４４がサンドイッチパネルのボアの中に一旦取り付けられると、それらを通じてポッティング化合物が注入されるよう、構成されうる。第２首部７８の第２外表面１００は、テクスチャ加工されて回転防止フィーチャ９６を形成してよく、そのため、ポッティング化合物がテクスチャ加工された表面のそばに注入され、その表面と係合して固化すると、テクスチャ加工された表面はボアに対する第２インサート部品１４４の回転に抗する。図１４で最もよく視認できるように、第２ねじ部１０６は、第２首部端領域８１から第２フランジ７２の第２下面７６まで、第２首部７８の実質的に全長に沿って延在しうる。
【００５１】
第２ねじ部１０６は、第２ねじ部１０６内に形成された長手方向に延在する溝１１２などの、一又は複数の場所において不連続になりうる。図１４で最もよく視認できるように、長手方向に延在する溝１１２は、第２首部端領域８１から第２フランジ７２の第２下面７６まで、実質的に第２首部７８の全長に沿って延在しうる。他の例では、長手方向に延在する溝１１２は、第２首部７８の長さの一部分だけに沿って延在しうる。図１３に示しているように、長手方向に延在する溝１１２は、第２首部７８の厚みの一部分のみを通って形成されうる。
【００５２】
第２インサート部品１４４の長手方向に延在する溝１１２は、図１１から図１２の第１インサート部品１４２の第１ねじ係合クリップ１０８を受容するよう構成されうる。例えば、第２インサート部品１４４は、長手方向に延在する溝１１２が第１ねじ係合クリップ１０８と位置が合うように、第１インサート部品１４２に対して動作可能に配置されうる。第２首部７８の第２内表面８４が第１インサート部品１４２の第１首部６４の第１外表面９０に隣接するように、第２インサート部品１４４が配置される際に、第１ねじ係合クリップ１０８は、長手方向に延在する溝１１２の中に配置されうる。そのように配置されると、第１ねじ係合クリップ１０８は、第２インサート部品１４４が第１インサート部品１４２に対して摺動可能に長手方向に平行移動しうるように、長手方向に延在する溝１１２に沿って長手方向に摺動しうる。長手方向に延在する溝１１２が第１ねじ係合クリップ１０８に沿って摺動するにつれて、第２フランジ７２は、高さ調整可能なねじ式インサートの全高（例えば、第１インサート部品１４２と第２インサート部品１４４との組み合わせ）が調整されうるように、第１フランジ５８に向かって動きうる。
【００５３】
第１ねじ係合クリップ１０８は、第２インサート部品１４４が第１インサート部品１４２に対して径方向に動き（例えば回転し）うるように、第２ねじ部１０６と係合するようにも構成されうる。第２インサート部品１４４が第１インサート部品１４２に対して回転する際に、部分雄ねじでありうる第１ねじ係合クリップ１０８は第２ねじ部１０６と係合しうる。第１ねじ係合クリップ１０８は、第２インサート部品１４４が回転するにつれて、第２ねじ部１０６のねじ山に沿って移動しうる。上述のように、第２インサート部品１４４が第１インサート部品１４２に対して回転している間に、インサート部品が挿入されているボアに対する第１インサート部品１４２の回転に抗するために、ツールが使用されうる。かかるツールは、第２インサート部品１４４の第２孔部８０を通じて、第１インサート部品１４２の第１孔部６６内へと、挿入されうる。
【００５４】
図１５は、本開示による複数の高さ調整可能なねじ式インサートのシステム２００の概略図を示している。例えば、システム２００は、一又は複数の第１の高さ調整可能なねじ式インサート２０２（高さ調整可能なねじ式高さ調整可能な５０の一例）と、一又は複数の第２の高さ調整可能なねじ式インサート２０４（高さ調整可能なねじ式高さ調整可能な５０の一例）とを、含みうる。第１の高さ調整可能なねじ式インサート２０２の各々は、対応する２インサート部品が第１の高さ調整可能なねじ式インサート２０２の対応する第１インサート部品に対して動作可能に配置されると、第１最大全高と第１最小全高との間で調整可能になりうる。同様に、第２の高さ調整可能なねじ式インサート２０４の各々は、対応する第２インサート部品が第２の高さ調整可能なねじ式インサート２０４の対応する第１インサート部品に対して動作可能に配置されると、第２最大全高と第２最小全高との間で調整可能になりうる。
【００５５】
第１最小全高と第２最小全高とは、互いに異なりうる。例えば、第２の高さ調整可能なねじ式インサート２０４は、第２最小全高が第１最小全高よりも高くなりうるように、システム２００の中で、第１の高さ調整可能なねじ式インサート２０２よりも「大きな」サイズでありうる。一部の例では、例えば、第２最小全高が第１最小全高と第１最大全高との間の高さになりうるように、それぞれのインサートサイズ間にはいくらかの重複がありうる。同様に、第２の高さ調整可能なねじ式インサート２０４のそれぞれが、第１の高さ調整可能なねじ式インサート２０２のそれぞれよりも深いボアと同一平面取り付けを有するよう調整可能になるように、第２最大全高は第１最大全高よりも高くなりうる。一部のシステム２００では、種々のサイズの高さ調整可能なねじ式インサートは、それらが種々の直径のボアとの使用に適するよう構成されうるように、追加的又は代替的に、種々のフランジ径を有しうる。
【００５６】
所与のシステム２００の中のそれぞれのサイズのインサートの各々は、高さ調整可能なねじ式インサートの最小全高と最大全高との差として画定される、調整範囲を有しうる。例えば、第１の高さ調整可能なねじ式インサート２０２は、第１最大全高と第１最小全高との差に等しい第１調整範囲を有しうる。同様に、第２の高さ調整可能なねじ式インサート２０４は、第２最大全高と第２最小全高との差に等しい第２調整範囲を有しうる。一部の例では、第２調整範囲は第１調整範囲よりも広くなりうる。
【００５７】
システム２００は、一又は複数の第３の高さ調整可能なねじ式インサート２０６（高さ調整可能なねじ式インサート５０の一例）であって、対応する第２インサート部品が第３の高さ調整可能なねじ式インサート２０６の対応する第１インサート部品に対して動作可能に配置されているときに第３最小全高と第３最大全高とを有する、第３の高さ調整可能なねじ式インサート２０６を含みうる。第３最小全高は、第１の高さ調整可能なねじ式インサート２０２の第１最小全高と異なり、かつ／又は、第２の高さ調整可能なねじ式インサート２０４の第２最小全高と異なりうる。追加的又は代替的には、第３最大全高は、第１の高さ調整可能なねじ式インサート２０２の第１最大全高と異なり、かつ／又は、第２の高さ調整可能なねじ式インサート２０４の第２最大全高と異なりうる。一部の例では、第３最小全高は、第１最小全高よりも高く、第２最小全高よりも高く、かつ／又は、第２最大全高よりも低くなりうる。追加的又は代替的には、第３最大全高は、第２最大全高及び第１最大全高よりも高くなりうる。
【００５８】
システム２００は、任意の数のインサート、及び、任意の数のインサートサイズを含みうる。しかし一般的に、システム２００では、高さ調整可能なねじ式インサートのサイズの数は、同数の対応ボア群に従来型インサートを使用するのに必要とされる数よりも少なくなりうる。例えば、所与のサンドイッチパネルが、１０の異なるサイズの従来型インサートを必要とする１０の異なるサイズのボアを含む場合、本書で開示されている高さ調整可能なねじ式インサートは、本開示による高さ調整可能なねじ式インサートのたった１つか２つのサイズを使用することで、これらの１０の異なるボアに適応しうる。必要なサイズの数の上記の比率は、例示目的のためにのみ提供されており、いかなる意味においても限定的ではない。
【００５９】
図１６は、本開示による方法３００の例示的かつ非限定的な例を表すフロー図を、概略的に提供している。図１６では、一部のステップが点線で囲まれているが、このことは、かかるステップがオプションでありうるか、又は、本開示による方法のオプションのバージョンに対応しうることを示している。とはいえ、本開示によるすべての方法が、実線で囲まれたステップを含む必要があるわけではない。図１６に示す方法及びステップは限定的ではなく、本書の記載から理解されるように、図示したステップの数よりも多い又は少ない数のステップを有する方法を含む他の方法及びステップも、本開示の範囲に含まれる。
【００６０】
図１６に示しているように、本開示による方法３００は一般的に、３０１における、高さ調整可能なねじ式インサート（例えば高さ調整可能なねじ式インサート５０）を提供すること、３０２で第１インサート部品（例えば第１インサート部品５２）に対して第２インサート部品（例えば第２インサート部品５４）を動作可能に配置することなどによって、３０３において、高さ調整可能なねじ式インサートをサンドイッチパネル内に（例えば、サンドイッチパネル１２のボア２０内に）取り付けること、及び／又は、３０４における、高さ調整可能なねじ式インサートの高さを調整することを、含みうる。一部の方法３００では、３０３で高さ調整可能なねじ式インサートを取り付けることは、複数の高さ調整可能なねじ式インサートのそれぞれを、一又は複数のサンドイッチパネル内に形成された複数の対応ボア内に取り付けることを含みうる。一部の方法は、第１インサート部品の第１首部（例えば第１首部６４）の少なくとも一部分がボアの中に配置されるように、３０６でそれぞれの第１インサート部品を対応するボア内に取り付けることを含みうる。３０６の第１インサート部品のかかる取り付けは、３０２で第１インサート部品に対して第２インサート部品を動作可能に配置する前に、又は配置した後に、実施されうる。一部の方法では、３０２で第２インサート部品を動作可能に配置することは、第２インサート部品第２首部（例えば第２首部７８）の少なくとも一部分がボアの中に配置されるように、第２インサート部品を対応するボア内に取り付けることを含みうる。
【００６１】
一部の方法では、３０６で第１インサート部品をボア内に取り付けることは、３０２で第１インサート部品に対して第２インサート部品を動作可能に配置することに先立って、実施されうる（例えば、第１インサート部品がボアの中に配置されてよく、次いで、第２インサート部品がそのボアの中に配置されうる）。例えば、３０６で第１インサート部品を取り付けることは、第１インサート部品の第１フランジ（例えば第１フランジ５８）をサンドイッチパネルの外板（例えば第１外板１６又は第２外板１８）に隣接して配置し、そのため、第１首部が対応するパネル外板から離れる方向にボアの内部において延在するように、ボアの中に第１インサート部品を配置することを含みうる。３０６で一旦第１インサート部品がそのように配置されると、一部の方法では、３０２において、第２首部が第１インサート部品の第１フランジと第２インサート部品の第２フランジ（例えば第２フランジ７２）との間に配置される（例えば、第２首部が、ボアの基部に向かって及び／又は対応するパネル外板に向かって、ボア内へと延在しうる）ように、第２インサート部品が動作可能に配置されうる。
【００６２】
一部の方法では、３０６で第１インサート部品をボア内に取り付けることは、３０２で第１インサート部品に対して第２インサート部品を動作可能に配置した後に、実施されうる（例えば３０２において、第２部品は、少なくとも部分的に第１インサート部品上に配置されるなど、動作可能に配置されてよく、次いで、第１インサート部品と第２インサート部品とのアセンブリが、３０３でサンドイッチパネルのボア内に一度に取り付けられうる）。一部の方法では、３０２で第１インサート部品に対して第２インサート部品を動作可能に配置することは、第２インサート部品の第２孔部（例えば第２孔部８０）が、第１インサート部品の第１孔部（例えば第１孔部６６）と少なくとも実質的に同心になるように、第２インサート部品を配置することを含みうる。
【００６３】
３０４で高さ調整可能なねじ式インサートの高さを調整することは、第２インサート部品の第２フランジの第２上面（例えば、第２フランジ７２の第２上面７４）が、サンドイッチパネルの外表面（例えば、第１外側パネル面３１又は第２外側パネル面３５）と少なくとも実質的に同一平面になるまで、高さを調整することを含みうる。３０４で高さ調整可能なねじ式インサートの高さを調整することは、第１インサート部品の第１フランジに向けて、第２インサート部品の第２フランジを押圧することを含みうる。例えば、第２インサート部品が第１インサート部品に対して動き（例えば、長手方向に平行移動き、及び／又は回転し）、かつ、第２フランジが第１フランジに向かって動き、それにより、高さ調整可能なねじ式インサートの全高が減少するように、第２インサート部品に（例えば、第２インサート部品の第２フランジの第２上面７４などの第２上面に）力が印加されうる。一部の方法２００では、第２インサート部品の第２フランジを第１インサート部品の第１フランジに向けて押圧することは、第１インサート部品に対して、及び第１インサート部品の第１フランジに向かって、第２インサート部品の第２首部を動かすことを含みうる。
【００６４】
一部の方法３００では、３０４で高さ調整可能なねじ式インサートの高さを調整することは、３０８における、第１インサート部品に対して第２インサート部品を長手方向に摺動させること、３１０における、第１インサート部品に対して第２インサート部品を回転させること、３１２における、第２インサート部品の一部分を径方向に拡張させること、及び／又は、３１４における、ボアに対する第１インサート部品の回転を防止することを、含みうる。例えば、３０８で第１インサート部品に対して第２インサート部品を長手方向に摺動させることは、第１インサート部品の第１ねじ係合クリップ（例えば第１ねじ係合クリップ１０８）が、第２インサート部品の長手方向に延在する溝（例えば長手方向に延在する溝１１２）の中で摺動するように、対応する両部品を配置することを含みうる。他の例では、３０８で第１インサート部品に対して第２インサート部品を長手方向に摺動させることは、第２インサート部品の第２ねじ係合クリップ（例えば第２ねじ係合クリップ１１０）を、第１インサート部品の第１ねじ部（例えば第１ねじ部１０４）の対応するねじ山に沿って、かつこのねじ山の上で、ラチェットさせることを含みうる。３１２で第２インサート部品の一部分を径方向に拡張させることは、一又は複数の径方向に拡張可能なタブ（例えば径方向に拡張可能なタブ１１４）などの第２インサート部品の一部分に力を加えて、第２ねじ係合クリップ１１０が第１ねじ部の対応するねじ山を通り過ぎる都度一時的に拡張させ、それにより、第２インサート部品の第１インサート部品に対する長手方向の平行移動を可能にすることを、含みうる。
【００６５】
３１０で第１インサート部品に対して第２インサート部品をラチェットさせることは、第２インサート部品が回転するにつれて第１ねじ係合クリップが第２ねじ部に沿って移動し、その結果、第１インサート部品と第２インサート部品との間にねじ式係合が生じるように、第１ねじ係合クリップを第２インサート部品の第２ねじ部と（例えば第２ねじ部１０６）と係合させることを、含みうる。代替的には、３１０で第１インサート部品に対して第２インサート部品を回転させることは、第２インサート部品が回転するにつれて第２ねじ係合クリップが第１ねじ部に沿って移動し、その結果、第１インサート部品と第２インサート部品との間にねじ式係合が生じるように、第２インサート部品の第２ねじ係合クリップを第１インサート部品の第１ねじ部と係合させることを、含みうる。一部のかかる方法３００では、３１４において、第１インサート部品に対して第２インサート部品が回転している間のボアに対する第１インサート部品の回転を防止することは、高さ調整可能なねじ式インサートの第２孔部（例えば第２孔部８０）及び第１孔部（例えば第１孔部６６）内に、ツールを挿入することを含みうる（前記第１孔部と第２孔部とは、第２インサート部品が第１インサート部品に対して動作可能に配置されると実質的に同心になりうる）。前記ツールは、ボアに対する第１インサート部品の回転を実質的に防止するために、第１インサート部品の内表面（例えば、第１インサート部品５２の第１首部６４の第１内表面６８）内に形成された長手方向に延在するチャネル（例えば長手方向に延在するチャネル１１６）を係合しうる。
【００６６】
一部の方法３００は、３１６における、サンドイッチパネル内に少なくとも１つのボアを形成することを含みうる。３１６でボアを形成することは、所与のサンドイッチパネル内に複数のボアを形成することを含みうる。３１６でボアを形成することは、サンドイッチパネルの第１外板（例えば第１外板１６）と第２外板（例えば第２外板１８）の一方又は両方を通るだけでなく、サンドイッチパネルのコア（例えばコア１４）の少なくとも一部分も通って延在するボアを形成することを、含みうる。一部の方法３００では、３１６の少なくとも１つのボアを形成することが自動化されうる。３１６で少なくとも１つのボアを形成することは、少なくとも１つの盲ボア（例えば、サンドイッチパネルの一方の外板のみを通り、コアを部分的にだけ通って延在するボア）を形成することを含んでよく、かつ／又は、少なくとも１つの貫通ボア（例えば、サンドイッチパネルの両外板を通り、コア全体を貫通して延在するボア）を形成することを含みうる。３１６で少なくとも１つのボアを形成することは、一部の方法３００では、穿孔すること、ミリング加工すること、及び／又は、打ち抜き加工することを含みうる。一部の方法３００では、３１６で少なくとも１つのボアを形成することは、円形断面区域を有する少なくとも１つのボアを形成することを含みうる。追加的又は代替的には、３１６で少なくとも１つのボアを形成することは、非円形の断面区域を有する少なくとも１つのボア、例えば、多角形、楕円形、及び／又は不規則形状の断面区域を有する少なくとも１つのボアを、形成することを含みうる。
【００６７】
方法３００は、３１８において、ボアと高さ調整可能なねじ式インサートとの間の空間（例えば空間９８）の中に、ポッティング化合物又はその他の接着剤を注入することを含みうる。３１８でポッティング化合物を注入することは、高さ調整可能なねじ式インサートがボアの中に配置された後（例えば、第２インサート部品が第１インサート部品に対して動作可能に配置された後）の、高さ調整可能なねじ式インサートの高さが調整された後に、実施されうる。例えば、ポッティング化合物は、ポッティング化合物が第２インサート部品の第２首部に隣接してボアの中に載置されるように、第２インサート部品に形成された一又は複数のベント（例えばベント１１８）を通じて注入されうる。３１８でポッティング化合物を注入することは、ポッティング化合物を注入すること、急速硬化接着剤を注入すること、ＵＶ硬化接着剤を注入すること、及び／又は、ボアの中での高さ調整可能なねじ式インサートの固定性を向上させるよう構成された他の任意の化合物を注入することを、含みうる。一部の方法３００では、３１８でポッティング化合物を注入することは、ポッティング化合物が高さ調整可能なねじ式インサートの回転防止フィーチャ（例えば回転防止フィーチャ９６）に隣接するように、例えば、第２首部のテクスチャ加工された外表面（例えば第２首部７８の第２外表面１００）に隣接するように、ポッティング化合物を注入することを含みうる。
【００６８】
追加的又は代替的には、方法３００は、３２０において、高さ調整可能なねじ式インサートを通じて（例えば、高さ調整可能なねじ式インサートの第１孔部及び第２孔部を通じて）副次的物体（例えば副次的物体９２）を挿入することを含みうる。副次的物体は、ファスナ、ボルト、ピン、ワイヤ、及び／或いは、高さ調整可能なねじ式インサートを介してサンドイッチパネルに偏荷重を転嫁するよう構成されうる任意の物体又は構造物を含みうる。
【００６９】
本開示による方法３００では、任意の数の高さ調整可能なねじ式インサートが所与のサンドイッチパネル内に取り付けられうる。一部の方法３００では、高さ調整可能なねじ式インサートは、ツールレス取り付けに適するよう構成されうる（例えば、３０３でインサートが取り付けられ、３０４でそれらの高さが調整されてよく、かつ／又は、３０２で、第２インサート部品がツールの使用を必要とせずに動作可能に配置されうる）。一部の方法では、３０２の第２インサート部品を動作可能に配置すること、３０３の高さ調整可能なねじ式インサートを取り付けること、及び／又は、３０４の高さ調整可能なねじ式インサートの高さを調整することが、自動化されうる。一部の方法３００では、少なくとも１つの高さ調整可能なねじ式インサートが、サンドイッチパネルの一方の側に隣接して（例えば第１外板に隣接して）取り付けられてよく、少なくとも１つの高さ調整可能なねじ式インサートが、サンドイッチパネルの反対側に隣接して（例えば第２外板に隣接して）取り付けられうる。一部の方法３００では、複数の高さ調整可能なねじ式インサートが、サンドイッチパネル一方の側だけを介して取り付けられてよく、インサートの高さは、サンドイッチパネルの反対側へのアクセスを必要とせずに、調整されうる。一部の方法３００では、複数のサイズの高さ調整可能なねじ式インサートが、もっと多数のサイズのボア（例えば様々な深さのボア）の中に、同一平面になるように取り付けられうる。
【００７０】
本書においては、装置の一又は複数の構成要素又は特性の動作、動き、構成、又はその他の作用を改変するときの「選択的な（ｓｅｌｅｃｔｉｖｅ）」及び「選択的に（ｓｅｌｅｃｔｉｖｅｌｙ）」という用語は、その特定の動作、動き、構成又はその他の作用が、装置の一態様或いは一又は複数の構成要素をユーザが操作した直接的又は間接的な結果であることを意味する。
【００７１】
本開示による発明の主題の例示的で非排他的な例について、以下に列挙する段落において説明する。
【００７２】
Ａ１．
第１上面と第１下面とを有する第１フランジ、
第１フランジの第１上面から第１首部端領域まで延在する第１首部、並びに、
少なくとも第１首部を通って延在し、かつ、第１首部の第１内表面によって少なくとも部分的に画定される第１孔部を備える、第１インサート部品であって、第１首部が第１内表面の反対側の第１外表面を備える、第１インサート部品と、
第２上面と第２下面とを有する第２フランジ、
第２フランジの第２下面から第２首部端領域まで延在する第２首部、並びに、
第２首部及び第２フランジを通って延在し、第２首部の第２内表面によって部分的に画定される第２孔部を備える、第２インサート部品であって、第２首部が第２内表面の反対側の第２外表面を備える、第２インサート部品とを備える、高さ調整可能なねじ式インサートであって、
第２インサート部品は、第２首部の第２内表面の少なくとも一部分が第１首部の少なくとも一部分とねじ式係合を有するように、第１インサート部品に対して選択的に動作可能に配置されるよう構成され、高さ調整可能なねじ式インサートは、第２フランジが第１フランジに向かって動くように第１インサート部品に対して第２インサート部品を動かすことで、高さ調整可能なねじ式インサートの全高が減少するように、選択的に調整可能な全高を有するよう構成され、高さ調整可能なねじ式インサートの全高は、第２フランジの第２上面と第１フランジの第１下面との間の垂直距離として画定され、第２インサート部品が第１インサート部品に対して動作可能に配置されると、第１孔部と第２孔部とは少なくとも実質的に同心になる、高さ調整可能なねじ式インサート。
【００７３】
Ａ１．１．第２首部の第２内表面の少なくとも一部分が、第１首部の第１外表面の少なくとも一部分とねじ式係合を有する、段落Ａ１に記載の高さ調整可能なねじ式インサート。
【００７４】
Ａ２．第１孔部及び第２孔部の中に副次的物体を受容するよう構成されている高さ調整可能なねじ式インサートであって、副次的物体が、高さ調整可能なねじ式インサートを介して、高さ調整可能なねじ式インサートが取り付けられているサンドイッチパネルに偏荷重を転嫁するよう構成される、段落Ａ１又はＡ１．１に記載の高さ調整可能なねじ式インサート。
【００７５】
Ａ３．サンドイッチパネルのボア内に取り付けられるよう構成されている高さ調整可能なねじ式インサートであって、サンドイッチパネルが、第１外板と、第１外板の反対側の第２外板と、それらの間のコアとを備える、段落Ａ１からＡ２のいずれか１つに記載の高さ調整可能なねじ式インサート。
【００７６】
Ａ４．高さ調整可能なインサートが一旦サンドイッチパネル内に挿入されると、かつ／又は、ポッティング化合物が高さ調整可能なねじ式インサートに隣接してサンドイッチパネルのボア内に一旦注入されると、サンドイッチパネルに対する高さ調整可能なねじ式インサートの少なくとも一部分の回転に抗するよう構成された、回転防止フィーチャを更に備える、段落Ａ１からＡ３のいずれか１つに記載の高さ調整可能なねじ式インサート。
【００７７】
Ａ５．回転防止フィーチャはテクスチャ加工された表面を含む、段落Ａ４に記載の高さ調整可能なねじ式インサート。
【００７８】
Ａ６．第２インサート部品はテクスチャ加工された表面を含む、段落Ａ５に記載の高さ調整可能なねじ式インサート。
【００７９】
Ａ７．テクスチャ加工された表面は第２インサート部品の第２首部の少なくとも一部分を形成する、段落Ａ６に記載の高さ調整可能なねじ式インサート。
【００８０】
Ａ８．回転防止フィーチャは、高さ調整可能なねじ式インサートが取り付けられるよう構成されているサンドイッチパネルのボア内に注入されたポッティング化合物を係合するよう構成される、段落Ａ４からＡ７のいずれか１つに記載の高さ調整可能なねじ式インサート。
【００８１】
Ａ９．回転防止フィーチャはサンドイッチパネルのコアを係合するよう構成される、段落Ａ４からＡ８のいずれか１つに記載の高さ調整可能なねじ式インサート。
【００８２】
Ａ１０．回転防止フィーチャは、第１フランジの外周エッジ領域から径方向に延在する複数の突起を備える、段落Ａ４からＡ９のいずれか１つに記載の高さ調整可能なねじ式インサート。
【００８３】
Ａ１０．１．回転防止フィーチャは、第２インサート部品が第１インサート部品に対して回転する際にサンドイッチパネルに対する第１インサート部品の回転に抗するよう構成される、段落Ａ４からＡ９のいずれか１つに記載の高さ調整可能なねじ式インサート。
【００８４】
Ａ１１．第１孔部は第１フランジを通って延在する、段落Ａ１からＡ１０．１のいずれか１つに記載の高さ調整可能なねじ式インサート。
【００８５】
Ａ１２．第２インサート部品が第１インサート部品に対して動作可能に配置され、かつ、高さ調整可能なねじ式インサートがサンドイッチパネルのボア内に取り付けられると、第２フランジの第２上面がサンドイッチパネルの第１外板と第２外板の一方と少なくとも実質的に同一平面になるように構成される、段落Ａ１からＡ１１のいずれか１つに記載の高さ調整可能なねじ式インサート。
【００８６】
Ａ１３．第２インサート部品が第１インサート部品に対して動作可能に配置され、かつ、高さ調整可能なねじ式インサートがサンドイッチパネルのボア内に取り付けられてから、第２フランジの第２上面がサンドイッチパネルと少なくとも実質的に同一平面になるように一旦調整されると、高さ調整可能なねじ式インサートの全高を少なくとも実質的に維持するよう構成される、段落Ａ１からＡ１２のいずれか１つに記載の高さ調整可能なねじ式インサート。
【００８７】
Ａ１４．第１インサート部品及び第２インサート部品がサンドイッチパネルのボア内に少なくとも部分的に一旦挿入されると、高さ調整可能なねじ式インサートの全高が調整可能になるように構成される、段落Ａ１からＡ１３のいずれか１つに記載の高さ調整可能なねじ式インサート。
【００８８】
Ａ１５．第１インサート部品及び第２インサート部品はポリマー製である、段落Ａ１からＡ１４のいずれか１つに記載の高さ調整可能なねじ式インサート。
【００８９】
Ａ１６．全高が最小高さと最大高さとの間で調整可能であるように構成されている、高さ調整可能なねじ式インサートであって、最大高さと最小高さとの差は、少なくとも、０．０５インチ（ｉｎ）（１．２７ミリメートル（ｍｍ））、少なくとも０．１０ｉｎ（２．５４ｍｍ）、少なくとも０．１５ｉｎ（３．８１ｍｍ）、少なくとも０．２０ｉｎ（５．０８ｍｍ）、少なくとも０．３０ｉｎ（７．６２ｍｍ）、少なくとも０．４０ｉｎ（１０．１６ｍｍ）、少なくとも０．５ｉｎ（１２．７ｍｍ）、少なくとも０．６ｉｎ（１５．２４ｍｍ）、少なくとも０．７ｉｎ（１７．７８ｍｍ）、少なくとも０．８ｉｎ（２０．３２ｍｍ）、少なくとも０．９ｉｎ（２２．８６ｍｍ）、かつ／又は、少なくとも１．０ｉｎ（２５．４ｍｍ）である、段落Ａ１からＡ１５のいずれか１つに記載の高さ調整可能なねじ式インサート。
【００９０】
Ａ１７．全高が最小高さと最大高さとの間で調整可能であるように構成されている、高さ調整可能なねじ式インサートであって、最大高さと最小高さとの差は、最大高さの少なくとも１０％、最大高さの少なくとも１５％、最大高さの少なくとも２０％、最大高さの少なくとも２５％、最大高さの少なくとも３０％、最大高さの少なくとも３５％、最大高さの少なくとも４０％、最大高さの少なくとも４５％、かつ／又は、最大高さの少なくとも５０％である、段落Ａ１からＡ１６のいずれか１つに記載の高さ調整可能なねじ式インサート。
【００９１】
Ａ１８．第２インサート部品に力を印加することにより第２フランジを第１フランジに向かって動かすことを介して全高が調整可能であるように構成される、段落Ａ１からＡ１７のいずれか１つに記載の高さ調整可能なねじ式インサート。
【００９２】
Ａ１９．第１インサート部品に対する第２インサート部品の長手方向の動きを介して全高が調整可能であるように構成される、段落Ａ１からＡ１８のいずれか１つに記載の高さ調整可能なねじ式インサート。
【００９３】
Ａ２０．第１インサート部品と第２インサート部品とが摺動可能に互いに係合するように構成されている高さ調整可能なねじ式インサートであって、第１インサート部品に対して第２インサート部品が長手方向に摺動することによって全高が調整可能である、段落Ａ１からＡ１９のいずれか１つに記載の高さ調整可能なねじ式インサート。
【００９４】
Ａ２１．第１インサート部品に対する第２インサート部品の径方向の動きを介して全高が調整可能であるように構成される、段落Ａ１からＡ２０のいずれか１つに記載の高さ調整可能なねじ式インサート。
【００９５】
Ａ２２．第１インサート部品に対して第２インサート部品を回転させることによって、全高が調整可能であるように構成される、段落Ａ１からＡ２１のいずれか１つに記載の高さ調整可能なねじ式インサート。
【００９６】
Ａ２３．第２インサート部品の一部分が拡張することによって全高が調整可能であるように構成される、段落Ａ１からＡ２２のいずれか１つに記載の高さ調整可能なねじ式インサート。
【００９７】
Ａ２４．第１インサート部品の第１フランジへのアクセスを必要とせずに全高が調整可能であるように構成される、段落Ａ１からＡ２３のいずれか１つに記載の高さ調整可能なねじ式インサート。
【００９８】
Ａ２５．第１外板と第２外板の一方にだけアクセス可能であるときにもサンドイッチパネル内に挿入されるよう構成される、段落Ａ１からＡ２４のいずれか１つに記載の高さ調整可能なねじ式インサート。
【００９９】
Ａ２６．第２上面に隣接する第２フランジの第１直径は、サンドイッチパネル内のボアのボア径におおよそ等しい、段落Ａ１からＡ２５のいずれか１つに記載の高さ調整可能なねじ式インサート。
【０１００】
Ａ２６．１．第２上面に隣接する第２フランジの第１直径は、サンドイッチパネル内のボアのボア径よりも若干小さい、段落Ａ１からＡ２６のいずれか１つに記載の高さ調整可能なねじ式インサート。
【０１０１】
Ａ２７．第１首部の第１外表面は第１ねじ部を備える、段落Ａ１からＡ２６．１のいずれか１つに記載の高さ調整可能なねじ式インサート。
【０１０２】
Ａ２８．第１首部の第１外表面は実質的にその全長に沿ってねじが切られている、段落Ａ１からＡ２７のいずれか１つに記載の高さ調整可能なねじ式インサート。
【０１０３】
Ａ２９．第１首部の第１外表面は二重ねじピッチを伴ってねじが切られている、段落Ａ１からＡ２８のいずれか１つに記載の高さ調整可能なねじ式インサート。
【０１０４】
Ａ３０．第２首部の第２内表面は第２ねじ部を備える、段落Ａ１からＡ２９のいずれか１つに記載の高さ調整可能なねじ式インサート。
【０１０５】
Ａ３１．第２首部の第２内表面は実質的にその全長に沿ってねじが切られている、段落Ａ１からＡ３０のいずれか１つに記載の高さ調整可能なねじ式インサート。
【０１０６】
Ａ３２．第２首部の第２内表面は二重ねじピッチを伴ってねじが切られている、段落Ａ１からＡ３１のいずれか１つに記載の高さ調整可能なねじ式インサート。
【０１０７】
Ａ３３．第１首部の第１外表面は、第２首部の第２内表面を係合するよう構成された一又は複数の第１ねじ係合クリップを備える、段落Ａ１からＡ３２のいずれか１つに記載の高さ調整可能なねじ式インサート。
【０１０８】
Ａ３４．一又は複数の第１ねじ係合クリップは、第１首部の第１外表面の周囲に、実質的に等距離に離間して配置される、段落Ａ３３に記載の高さ調整可能なねじ式インサート。
【０１０９】
Ａ３５．一又は複数の第１ねじ係合クリップは、第１首部端領域に隣接して配置される、段落Ａ３３又はＡ３４に記載の高さ調整可能なねじ式インサート。
【０１１０】
Ａ３６．一又は複数の第１ねじ係合クリップは、第１首部の第１外表面から径方向に外向きに突出している、段落Ａ３３からＡ３５のいずれか１つに記載の高さ調整可能なねじ式インサート。
【０１１１】
Ａ３７．一又は複数の第１ねじ係合クリップの各々は部分ねじを含む、段落Ａ３３からＡ３６のいずれか１つに記載の高さ調整可能なねじ式インサート。
【０１１２】
Ａ３７．１．一又は複数の第１ねじ係合クリップの各々は、第２首部の第２ねじ部を係合するよう構成される、段落Ａ３３からＡ３７のいずれか１つに記載の高さ調整可能なねじ式インサート。
【０１１３】
Ａ３８．第２首部の第２内表面は、第１首部の第１外表面を係合するよう構成された一又は複数の第２ねじ係合クリップを備える、段落Ａ１からＡ３７．１のいずれか１つに記載の高さ調整可能なねじ式インサート。
【０１１４】
Ａ３８．１．一又は複数の第２ねじ係合クリップの各々は、第１首部の第１ねじ部を係合するよう構成される、段落Ａ３８に記載の高さ調整可能なねじ式インサート。
【０１１５】
Ａ３９．一又は複数の第２ねじ係合クリップは、第２首部の第２内表面の周囲に、実質的に等距離に離間して配置される、段落Ａ３８又はＡ３８．１に記載の高さ調整可能なねじ式インサート。
【０１１６】
Ａ４０．一又は複数の第２ねじ係合クリップは、第２首部端領域に隣接して配置される、段落Ａ３８からＡ３９のいずれか１つに記載の高さ調整可能なねじ式インサート。
【０１１７】
Ａ４１．一又は複数の第２ねじ係合クリップは、第２首部の第２内表面から径方向に内向きに突出している、段落Ａ３８からＡ４０のいずれか１つに記載の高さ調整可能なねじ式インサート。
【０１１８】
Ａ４２．一又は複数の第２ねじ係合クリップの各々は部分ねじを含む、段落Ａ３８からＡ４１のいずれか１つに記載の高さ調整可能なねじ式インサート。
【０１１９】
Ａ４２．１．一又は複数の第２ねじ係合クリップの各々は、第１インサート部品に対する第２インサート部品の回転がこのねじ係合クリップを第２ねじ部に沿って移動させるように、第２首部の第２ねじ部を係合するよう構成される、段落Ａ３８からＡ４２のいずれか１つに記載の高さ調整可能なねじ式インサート。
【０１２０】
Ａ４３．第２首部は一又は複数の長手方向に延在する溝を備える、段落Ａ１からＡ４２．１のいずれか１つに記載の高さ調整可能なねじ式インサート。
【０１２１】
Ａ４４．一又は複数の長手方向に延在する溝のうちの少なくとも１つは、第２首部の第２外表面から第２首部の第２内表面まで第２首部の全厚を貫通して形成される、段落Ａ４３に記載の高さ調整可能なねじ式インサート。
【０１２２】
Ａ４５．一又は複数の長手方向に延在する溝のうちの少なくとも１つは、第２首部の厚みの一部分を通って形成される、段落Ａ４３又はＡ４４に記載の高さ調整可能なねじ式インサート。
【０１２３】
Ａ４６．一又は複数の長手方向に延在する溝は、第２首部の少なくとも一部分の径方向の拡張を可能にするよう構成される、段落Ａ４３からＡ４５のいずれか１つに記載の高さ調整可能なねじ式インサート。
【０１２４】
Ａ４７．一又は複数の長手方向に延在する溝は、長手方向に延在する溝の一又は複数の対を形成するために互いに離間しており、そのため、径方向に拡張可能なタブが、長手方向に延在する溝の隣接対それぞれの間に形成される、段落Ａ４３からＡ４６のいずれか１つに記載の高さ調整可能なねじ式インサート。
【０１２５】
Ａ４８．径方向に拡張可能なタブの各々は、径方向に拡張可能なタブの各々に対応して第２首部の第２内表面の対応部分に配置された、対応する第２ねじ係合クリップを備える、段落Ａ４７に記載の高さ調整可能なねじ式インサート。
【０１２６】
Ａ４９．第２インサート部品は、第２インサート部品が第１インサート部品に対して動作可能に配置されている場合の、第２インサート部品が第１インサート部品に対して長手方向に動く際に、第２ねじ係合クリップが第１インサート部品の第１ねじ部の一又は複数のねじ山を長手方向に通り過ぎるように、一又は複数の径方向に拡張可能なタブの各々を径方向に拡張させることによって、第１インサート部品に対して動作可能に配置されるよう構成される、段落Ａ４８に記載の高さ調整可能なねじ式インサート。
【０１２７】
Ａ４９．１．第２ねじ係合クリップは、第２インサート部品が第１インサート部品に対して動作可能に配置されると第１インサート部品の第１ねじ部を把持するよう構成される、段落Ａ４８又はＡ４９に記載の高さ調整可能なねじ式インサート。
【０１２８】
Ａ４９．２．第２インサート部品は、径方向に拡張可能なタブを径方向に拡張させること、及び、第２ねじ係合クリップを第１ねじ部に沿ってラチェットさせることによって、第１インサート部品に対して長手方向に動くよう構成される、段落Ａ４７からＡ４９．１のいずれか１つに記載の高さ調整可能なねじ式インサート。
【０１２９】
Ａ５０．一又は複数の長手方向に延在する溝は、第２ねじ部が一又は複数の長手方向に延在する溝の各々において不連続になるように、第２首部の第２内表面の第２ねじ部内に形成される、段落Ａ４３からＡ４９．１のいずれか１つに記載の高さ調整可能なねじ式インサート。
【０１３０】
Ａ５０．１．長手方向に延在する溝の各々は、第２インサート部品が第１インサート部品に対して動作可能に配置されると対応する長手方向に延在する溝に沿って長手方向に摺動するよう、第１ねじ係合クリップの各々が構成されるように、第１インサート部品の第１首部の第１外表面上に配置された対応する第１ねじ係合クリップを受容するよう構成される、段落Ａ５０に記載の高さ調整可能なねじ式インサート。
【０１３１】
Ａ５１．一又は複数の長手方向に延在する溝は、第２首部の長さの少なくとも一部分に沿って、第２首部の第２端領域から第２フランジに向かって長手方向に延在する、段落Ａ４３からＡ５０．１のいずれか１つに記載の高さ調整可能なねじ式インサート。
【０１３２】
Ａ５２．一又は複数の長手方向に延在する溝は、第２首部の第２端領域から第２フランジ付近まで長手方向に延在する、段落Ａ４３からＡ５１のいずれか１つに記載の高さ調整可能なねじ式インサート。
【０１３３】
Ａ５３．第１首部は一又は複数の長手方向に延在するチャネルを備える、段落Ａ１からＡ５２のいずれか１つに記載の高さ調整可能なねじ式インサート。
【０１３４】
Ａ５４．一又は複数の長手方向に延在するチャネルは、第１インサート部品の第１首部の第１端領域から第１インサート部品の第１フランジに向かって延在する、段落Ａ５３に記載の高さ調整可能なねじ式インサート。
【０１３５】
Ａ５５．一又は複数の長手方向に延在するチャネルは、第１インサート部品の第１首部の第１内表面から径方向に外向きに形成される、段落Ａ５３又はＡ５４に記載の高さ調整可能なねじ式インサート。
【０１３６】
Ａ５６．一又は複数の長手方向に延在するチャネルは、第１首部の第１内表面の周囲に、実質的に等距離に互いから離間して配置される、段落Ａ５３からＡ５５のいずれか１つに記載の高さ調整可能なねじ式インサート。
【０１３７】
Ａ５７．一又は複数の長手方向に延在するチャネルは、第１首部の第１外表面上に配置された一又は複数の第１ねじ係合クリップと互い違いにされる、段落Ａ５３からＡ５６のいずれか１つに記載の高さ調整可能なねじ式インサート。
【０１３８】
Ａ５８．一又は複数の長手方向に延在するチャネルは、第２インサート部品が第１インサート部品に対して動作可能に配置されると、第２インサート部品が第１インサート部品に対して回転する際に第１インサート部品の回転を実質的に防止するよう構成されているツールを係合するよう構成される、段落Ａ５３からＡ５７のいずれか１つに記載の高さ調整可能なねじ式インサート。
【０１３９】
Ａ５９．一又は複数の長手方向に延在するチャネルは、第２インサート部品が第１インサート部品に対して動作可能に配置されると、第２インサート部品の第２孔部を介してアクセス可能になる、段落Ａ５３からＡ５８のいずれか１つに記載の高さ調整可能なねじ式インサート。
【０１４０】
Ａ６０．一又は複数の長手方向に延在するチャネルは、第１インサート部品の第１孔部を介してアクセス可能である、段落Ａ５３からＡ５９のいずれか１つに記載の高さ調整可能なねじ式インサート。
【０１４１】
Ａ６１．第１インサート部品と第２インサート部品とは、互いに対して、摺動可能に平行移動可能であり、かつ回転可能である、段落Ａ１からＡ６０のいずれか１つに記載の高さ調整可能なねじ式インサート。
【０１４２】
Ａ６２．第２フランジが第１フランジに向かって動くように第１インサート部品に対して第２インサート部品を長手方向に摺動させることで、高さ調整可能なねじ式インサートの全高が減少するように構成される、段落Ａ１からＡ６１のいずれか１つに記載の高さ調整可能なねじ式インサート。
【０１４３】
Ａ６３．第１インサート部品に対して第２インサート部品を選択的に回転させることで高さ調整可能なねじ式インサートの全高が調整されるように構成される、段落Ａ１からＡ６２のいずれか１つに記載の高さ調整可能なねじ式インサート。
【０１４４】
Ａ６４．第１インサート部品に対して第２インサート部品を第１方向に選択的に回転させることで、高さ調整可能なねじ式インサートの全高が減少するように、かつ、第１インサート部品に対して第２インサート部品を、第１方向とは反対の第２方向に選択的に回転させることで、高さ調整可能なねじ式インサートの全高が増大するように構成される、段落Ａ１からＡ６３のいずれか１つに記載の高さ調整可能なねじ式インサート。
【０１４５】
Ａ６５．第１インサート部品に対して第２インサート部品を長手方向に摺動させることで、高さ調整可能なねじ式インサートの全高が大まかに調整されるように構成される、段落Ａ１からＡ６４のいずれか１つに記載の高さ調整可能なねじ式インサート。
【０１４６】
Ａ６６．第１インサート部品に対して第２インサート部品を回転させることで、高さ調整可能なねじ式インサートの全高が微細に調整されるように構成される、段落Ａ１からＡ６５のいずれか１つに記載の高さ調整可能なねじ式インサート。
【０１４７】
Ｂ１．
第１内表面、及び第１内表面の反対側の第１外表面を有する第１外板と、
第１外板の反対側の第２外板であって、第２内表面、及び第２内表面の反対側の第２外表面を有する第２外板とを備え、第１外表面と第２外表面とは互いに逆方向に面している、サンドイッチパネルであって、更に、
第１外板の第１内表面と第２外板の第２内表面との間に挟まれたコアと、
第１外板と第２外板の少なくとも一方の中に形成され、コア内へと延在している、少なくとも１つのボアと、
少なくとも１つの高さ調整可能なねじ式インサートであって、その各々が、サンドイッチパネルの少なくとも１つのボアのうちの対応するボア内に取り付けられる段落Ａ１からＡ６６のいずれか１つに記載の高さ調整可能なねじ式インサートである、少なくとも１つの高さ調整可能なねじ式インサートとを備える、サンドイッチパネル。
【０１４８】
Ｂ１．１．少なくとも１つのボアのうちの少なくとも１つは、第１外板内に形成され、かつ、第２外板に向かってコアの中へと延在する、段落Ｂ１に記載のサンドイッチパネル。
【０１４９】
Ｂ１．２．少なくとも１つのボアのうちの少なくとも１つは、第２外板内に形成され、かつ、第１外板に向かってコアの中へと延在する、段落Ｂ１又はＢ１．１に記載のサンドイッチパネル。
【０１５０】
Ｂ２．少なくとも１つの高さ調整可能なねじ式インサートは複数の高さ調整可能なねじ式インサートを含み、複数の高さ調整可能なねじ式インサートの各々は、少なくとも１つのボアのうちの対応するボア内に取り付けられる、段落Ｂ１からＢ１．２のいずれか１つに記載のサンドイッチパネル。
【０１５１】
Ｂ３．コアは、発泡体、アルミニウム、Ｎｏｍｅｘ(R)（アラミド）、カーボン、Ｋｏｒｅｘ、Ｋｅｖｌａｒ(R)、繊維ガラス、ポリエーテルスルホン、ポリ塩化ビニル、ポリウレタン、ポリエチレン発泡体、ポリスチレン発泡体、バルサ材、シンタクチックフォーム、ハニカム構造物、ポリマーハニカム、熱可塑性ハニカム、ステンレス鋼、ポリカーボネート、及びポリプロピレンのうちの一又は複数を含む、段落Ｂ１からＢ２のいずれか１つに記載のサンドイッチパネル。
【０１５２】
Ｂ４．第１外板は、繊維強化型ポリマーの積層板、熱硬化性ポリマー、エポキシ、金属薄板、カーボン、アラミド、アルミニウム、鋼、合板、バルサ、チーク、及び硬材のうちの一又は複数を含む、段落Ｂ１からＢ３のいずれか１つに記載のサンドイッチパネル。
【０１５３】
Ｂ５．第２外板は、繊維強化型ポリマーの積層板、熱硬化性ポリマー、エポキシ、金属薄板、カーボン、アラミド、アルミニウム、鋼、合板、バルサ、チーク、及び硬材のうちの一又は複数を含む、段落Ｂ１からＢ４のいずれか１つに記載のサンドイッチパネル。
【０１５４】
Ｂ６．複合パネルを含む、段落Ｂ１からＢ５のいずれか１つに記載のサンドイッチパネル。
【０１５５】
Ｂ７．コアはハニカムコアを含む、段落Ｂ１からＢ６のいずれか１つに記載のサンドイッチパネル。
【０１５６】
Ｂ８．コアはクローズセル構造を備える、段落Ｂ１からＢ７のいずれか１つに記載のサンドイッチパネル。
【０１５７】
Ｂ９．コアはオープンセル構造を備える、段落Ｂ１からＢ８のいずれか１つに記載のサンドイッチパネル。
【０１５８】
Ｂ１０．少なくとも１つの高さ調整可能なねじ式インサートのうちの少なくとも１つの反対側の一端は、サンドイッチパネルのコアの中に埋め込まれる、段落Ｂ１からＢ９のいずれか１つに記載のサンドイッチパネル。
【０１５９】
Ｂ１１．少なくとも１つの高さ調整可能なねじ式インサートのうちの少なくとも１つの第２フランジの第２上面は、第１外板の第１外表面と少なくとも実質的に同一平面になる、段落Ｂ１からＢ１０のいずれか１つに記載のサンドイッチパネル。
【０１６０】
Ｂ１１．１．少なくとも１つの高さ調整可能なねじ式インサートのうちの少なくとも１つの第１フランジの第１下面は、第２外板の第２外表面と少なくとも実質的に同一平面になる、段落Ｂ１１に記載のサンドイッチパネル。
【０１６１】
Ｂ１２．少なくとも１つの高さ調整可能なねじ式インサートのうちの少なくとも１つの第２フランジの第２上面は、第２外板の第１外表面と少なくとも実質的に同一平面になる、段落Ｂ１からＢ１１．１のいずれか１つに記載のサンドイッチパネル。
【０１６２】
Ｂ１２．１．少なくとも１つの高さ調整可能なねじ式インサートのうちの少なくとも１つの第１フランジの第１下面は、第１外板の第１外表面と少なくとも実質的に同一平面になる、段落Ｂ１２に記載のサンドイッチパネル。
【０１６３】
Ｂ１３．少なくとも１つのボアは複数のボアを含み、複数のボアのうちのそれぞれのボアが、第１外板と第２外板の少なくとも一方からコア内へと延在し、少なくとも１つの高さ調整可能なねじ式インサートは複数の高さ調整可能なねじ式インサートを含み、かつ、複数の高さ調整可能なねじ式インサートのうちの少なくとも１つが、複数のボアのうちのそれぞれのボアの中に取り付けられる、段落Ｂ１からＢ１２．１のいずれか１つに記載のサンドイッチパネル。
【０１６４】
Ｂ１４．少なくとも１つのボアの各ボアは、少なくとも部分的にコアを通って形成された、実質的に円筒形のボアを含む、段落Ｂ１からＢ１３のいずれか１つに記載のサンドイッチパネル。
【０１６５】
Ｂ１５．サンドイッチパネルのコアと少なくとも１つの高さ調整可能なねじ式インサートのうちの少なくとも１つの第２首部との間に挿入された、ポッティング化合物、急速硬化化合物、及びＵＶ硬化化合物のうちの一又は複数を更に備える、段落Ｂ１からＢ１４のいずれか１つに記載のサンドイッチパネル。
【０１６６】
Ｂ１６．サンドイッチパネルのコアと少なくとも１つの高さ調整可能なねじ式インサートのうちの少なくとも１つの回転防止フィーチャとの間に挿入された、ポッティング化合物、急速硬化化合物、及びＵＶ硬化化合物のうちの一又は複数を更に備える、段落Ｂ１からＢ１５のいずれか１つに記載のサンドイッチパネル。
【０１６７】
Ｃ１．段落Ｂ１からＢ１６のいずれか１つに記載の少なくとも１つのサンドイッチパネルを含む、装置。
【０１６８】
Ｃ２．航空機、衛星、アンテナ、輸送ビークル、シッピングコンテナ、自動車、及びシェルターのうちの一又は複数を含む、段落Ｃ１に記載の装置。
【０１６９】
Ｃ３．サンドイッチパネルが、装置内の、フロア、ギャレー、内装主要構造物、副次構造物、内壁、収容棚、頭上コンパートメント、トイレ、カプセルパネル、ノーズコーン、器具類の筐体、バルクヘッドパネル、カーテンウォール、間仕切り、及び仕切り用パネルのうちの一又は複数の一部分を形成する、段落Ｃ１又はＣ２に記載の装置。
【０１７０】
Ｄ１．高さ調整可能なねじ式インサートをサンドイッチパネル内に取り付ける方法であって、
高さ調整可能なねじ式インサートの第１首部の少なくとも一部分及び第２首部の少なくとも一部分が、サンドイッチパネルのコア内の対応するボアの中に配置されるように、段落Ａ１からＡ６６のいずれか１つに記載の少なくとも１つの高さ調整可能なねじ式インサートを、サンドイッチパネル内の少なくとも１つのボアのうちの対応するボアの中に取り付けることと、
高さ調整可能なねじ式インサートの高さを、第２フランジの第２上面がサンドイッチパネルの外表面と少なくとも実質的に同一平面になるまで調整することとを含む、方法。
【０１７１】
Ｄ１．１サンドイッチパネル内に少なくとも１つのボアを形成することを更に含み、サンドイッチパネルは、第１内表面及び反対側の第１外表面を有する第１外板と、第１外板の反対側の第２外板であって、第２内表面及び反対側の第２外表面を有する第２外板とを有し、第１外表面と第２外表面とは互いに逆方向に面しており、コアは、第１外板の第１内表面と第２外板の第２内表面との間に挟まれており、少なくとも１つのボアを形成することは、少なくとも１つのボアを、それが第１外板と第２外板の少なくとも一方を通ってコアの中へと延在するように形成することを含む、段落Ｄ１に記載の方法。
【０１７２】
Ｄ１．２．サンドイッチパネル内に少なくとも１つのボアを形成することが自動化されている、段落Ｄ１．１に記載の方法。
【０１７３】
Ｄ２．少なくとも１つのボアを形成することは、部分的にのみサンドイッチパネルのコアの厚みの中へと延在している少なくとも１つの盲ボアを形成することを含む、段落Ｄ１．１又はＤ１．２に記載の方法。
【０１７４】
Ｄ３．少なくとも１つのボアを形成することは、サンドイッチパネル内に複数の盲ボアを形成することを含む、段落Ｄ１．１からＤ２のいずれか１つに記載の方法。
【０１７５】
Ｄ４．少なくとも１つのボアを形成することは、サンドイッチパネルの第１外板、第２外板、及びコアの厚みを貫通して延在している少なくとも１つの貫通ボアを形成することを含む、段落Ｄ１．１からＤ３のいずれか１つに記載の方法。
【０１７６】
Ｄ５．少なくとも１つのボアを形成することは、穿孔すること、ミリング加工すること、及び打ち抜き加工することのうちの一又は複数を含む、段落Ｄ１．１からＤ４のいずれか１つに記載の方法。
【０１７７】
Ｄ６．少なくとも１つのボアを形成することは、サンドイッチパネルのコアの厚みの少なくとも一部分を通して、少なくとも１つの円形ボアを形成することを含む、段落Ｄ１．１からＤ５のいずれか１つに記載の方法。
【０１７８】
Ｄ７．少なくとも１つのボアを形成することは複数のボアを形成することを含み、少なくとも１つの高さ調整可能なねじ式インサートを取り付けることは、複数の高さ調整可能なねじ式インサートを取り付けることを含み、複数の高さ調整可能なねじ式インサートのそれぞれは、複数のボアのうちの対応するボア内に取り付けられる、段落Ｄ１．１からＤ６のいずれか１つに記載の方法。
【０１７９】
Ｄ８．少なくとも１つの副次的物体を、少なくとも１つの高さ調整可能なねじ式インサートのうちの対応する高さ調整可能なねじ式インサートの対応する第１孔部及び第２孔部の中に挿入することを更に含み、少なくとも１つの副次的物体は、高さ調整可能なねじ式インサートを介して、サンドイッチパネルに偏荷重を転嫁するよう構成される、段落Ｄ１からＤ７のいずれか１つに記載の方法。
【０１８０】
Ｄ９．ポッティング化合物、急速硬化接着剤、及びＵＶ硬化接着剤のうちの一又は複数を、対応するボアの内部の、高さ調整可能なねじ式インサートの第２首部とサンドイッチパネルのコアとの間の空間内に注入することを更に含む、段落Ｄ１からＤ８のいずれか１つに記載の方法。
【０１８１】
Ｄ９．１．ポッティング化合物、急速硬化接着剤、及びＵＶ硬化接着剤のうちの一又は複数を、高さ調整可能なねじ式インサートの回転防止フィーチャに隣接して、少なくとも１つのボアのうちの対応するボア内に注入することを含む、段落Ｄ１からＤ９のいずれか１つに記載の方法。
【０１８２】
Ｄ１０．少なくとも１つの高さ調整可能なねじ式インサートを少なくとも１つのボアのうちの対応するボア内に取り付けることが自動化されている、段落Ｄ１からＤ９．１のいずれか１つに記載の方法。
【０１８３】
Ｄ１１．少なくとも１つの高さ調整可能なねじ式インサートを少なくとも１つのボアのうちの対応するボア内に取り付けることは、第１インサート部品に対して第２インサート部品を動作可能に配置することを含む、段落Ｄ１からＤ１０のいずれか１つに記載の方法。
【０１８４】
Ｄ１１．１．少なくとも１つの高さ調整可能なねじ式インサートを取り付けることは、第２首部の第２内表面が第１首部の第１外表面上に少なくとも部分的に配置されるように、最初に第１インサート部品を対応するボア内に挿入し、次いで、第２インサート部品をこの対応するボア内に挿入することを含む、段落Ｄ１１に記載の方法。
【０１８５】
Ｄ１２．少なくとも１つの高さ調整可能なねじ式インサートを少なくとも１つのボアのうちの対応するボア内に取り付けることは、第１孔部と第２孔部が実質的に同心になるように、第１インサート部品に対して第２インサート部品を挿入することを含む、段落Ｄ１からＤ１１．１のいずれか１つに記載の方法。
【０１８６】
Ｄ１３．少なくとも１つの高さ調整可能なねじ式インサートを少なくとも１つのボアのうちの対応するボア内に取り付けることは、第１首部がボアの内部において延在するように、第１フランジをボアの基部に隣接して配置することを含む、段落Ｄ１からＤ１２のいずれか１つに記載の方法。  
【０１８７】
Ｄ１３．１．少なくとも１つの高さ調整可能なねじ式インサートを少なくとも１つのボアのうちの対応するボア内に取り付けることは、サンドイッチパネルの第１外板又は第２外板に隣接して第１フランジを配置し、そのため、第１首部を第１外板と第２外板のうちの他方に向かってボア内へと延在させることを含む、段落Ｄ１からＤ１３のいずれか１つに記載の方法。  
【０１８８】
Ｄ１４．少なくとも１つの高さ調整可能なねじ式インサートを少なくとも１つのボアのうちの対応するボア内に取り付けることは、第２首部が第１インサート部品の第１フランジと第２インサート部品の第２フランジとの間に配置されるように第２インサート部品を配置することを含む、段落Ｄ１からＤ１３．１のいずれか１つに記載の方法。
【０１８９】
Ｄ１５．高さ調整可能なねじ式インサートの高さを調整することは、第２フランジの第２上面がサンドイッチパネルの第１外板と第２外板の一方の外表面と少なくとも実質的に同一平面になるまで、高さ調整可能なインサートの高さを調整することを含む、段落Ｄ１からＤ１４のいずれか１つに記載の方法。
【０１９０】
Ｄ１６．高さ調整可能なねじ式インサートの高さを調整することは、第１フランジに対して、かつ第１フランジに向かって、第２フランジを動かすことを含む、段落Ｄ１からＤ１５のいずれか１つに記載の方法。
【０１９１】
Ｄ１７．高さ調整可能なねじ式インサートの高さを調整することは、第１フランジに対して、かつ第１フランジに向かって、第２首部を動かすことを含む、段落Ｄ１からＤ１６のいずれか１つに記載の方法。
【０１９２】
Ｄ１８．高さ調整可能なインサートの高さを調整することは、第１首部と第２首部との間でねじ式係合を係合させることを含む、段落Ｄ１からＤ１７のいずれか１つに記載の方法。
【０１９３】
Ｄ１９．高さ調整可能なねじ式インサートの高さを調整することは、高さ調整可能なねじ式インサートの全高を減少させることを含む、段落Ｄ１からＤ１８のいずれか１つに記載の方法。
【０１９４】
Ｄ２０．高さ調整可能なねじ式インサートの高さを調整することは、第１インサート部品に対して第２インサート部品を回転させることを含む、段落Ｄ１からＤ１９のいずれか１つに記載の方法。
【０１９５】
Ｄ２０．１．第１インサート部品に対して第２インサート部品を回転させることで、高さ調整可能なねじ式インサートの全高が微細に調整される、Ｄ２０に記載の方法。
【０１９６】
Ｄ２１．高さ調整可能なねじ式インサートの高さを調整することは、第１インサート部品に対して第２インサート部品を長手方向に摺動させることを含む、段落Ｄ１からＤ２０．１のいずれか１つに記載の方法。
【０１９７】
Ｄ２１．１．第１インサート部品に対して第２インサート部品を長手方向に摺動させることで、高さ調整可能なねじ式インサートの全高がおおまかに調整される、Ｄ２１に記載の方法。
【０１９８】
Ｄ２２．高さ調整可能なねじ式インサートの高さを調整することは、第２インサート部品が第１インサート部品に対して回転している間の第１インサート部品の回転を実質的に防止することを含む、段落Ｄ１からＤ２１．１のいずれか１つに記載の方法。
【０１９９】
Ｄ２３．高さ調整可能なねじ式インサートの高さを調整することは、第１インサート部品の第１ねじ係合クリップを第２インサート部品の第２首部内の長手方向に延在する溝に沿って摺動させることを含む、段落Ｄ１からＤ２２のいずれか１つに記載の方法。
【０２００】
Ｄ２４．高さ調整可能なねじ式インサートの高さを調整することは、第１インサート部品の第１ねじ係合クリップが第２インサート部品の第２首部内の第２ねじ部を係合するように、第１インサート部品に対して第２インサート部品を回転させることを含む、段落Ｄ１からＤ２３のいずれか１つに記載の方法。
【０２０１】
Ｄ２５．高さ調整可能なねじ式インサートの高さを調整することは、第２インサート部品の第２ねじ係合クリップが第１インサート部品の第１首部上の第１ねじ部を係合するように、第１インサート部品に対して第２インサート部品を回転させることを含む、段落Ｄ１からＤ２４のいずれか１つに記載の方法。
【０２０２】
Ｄ２６．高さ調整可能なねじ式インサートの高さを調整することは、第２ねじ係合クリップが第１インサート部品の第１ねじ部を長手方向に通り過ぎるように、第２インサート部品の一又は複数の径方向に拡張可能なタブを径方向に拡張させることを含む、段落Ｄ１からＤ２５のいずれか１つに記載の方法。
【０２０３】
Ｄ２７．少なくとも１つの高さ調整可能なねじ式インサートを取り付けることは、第１インサート部品に対して第２インサート部品を動作可能に配置することを含む、段落Ｄ１からＤ２６のいずれか１つに記載の方法。
【０２０４】
Ｄ２８．第１インサート部品に対して第２インサート部品を動作可能に配置することは、第２インサート部品の第２首部の第２内表面が第１インサート部品の第１首部の第１外表面に隣接するように、第２インサート部品を配置することを含む、段落Ｄ２７に記載の方法。
【０２０５】
Ｄ２９．第１インサート部品に対して第２インサート部品を動作可能に配置することは、第２首部の第２内表面が第１首部の第１外表面上に少なくとも部分的に配置されるように、最初に第１インサート部品を対応するボア内に挿入し、次いで、第２インサート部品をこの対応するボア内に挿入することを含む、段落Ｄ２７又はＤ２８に記載の方法。
【０２０６】
Ｄ３０．第１インサート部品に対して第２インサート部品を動作可能に配置することは、第１孔部と第２孔部が実質的に同心になるように第１インサート部品に対して第２インサート部品を配置することを含む、段落Ｄ２７からＤ２９のいずれか１つに記載の方法。
【０２０７】
Ｄ３１．少なくとも１つの高さ調整可能なねじ式インサートを少なくとも１つのボアのうちの対応するボア内に取り付けることは、第１首部がボアの内部において延在するように、第１フランジをボアの基部に隣接して配置することを含む、段落Ｄ１からＤ３０のいずれか１つに記載の方法。  
【０２０８】
Ｄ３２．少なくとも１つの高さ調整可能なインサートを少なくとも１つのボアのうちの対応するボア内に取り付けることは、サンドイッチパネルの第１外板又は第２外板に隣接して第１フランジを配置し、そのため、第１首部を第１外板と第２外板のうちの他方に向かってボア内へと延在させることを含む、段落Ｄ１からＤ３１のいずれか１つに記載の方法。     
【０２０９】
Ｄ３３．少なくとも１つの高さ調整可能なインサートを少なくとも１つのボアのうちの対応するボア内に取り付けることは、第２首部が第１インサート部品の第１フランジと第２インサート部品の第２フランジとの間に配置されるように第２インサート部品を配置することを含む、段落Ｄ１からＤ３２のいずれか１つに記載の方法。
【０２１０】
Ｅ１．高さ調整可能なねじ式インサートがサンドイッチパネルの中に取り付けられているときに、高さ調整可能なねじ式インサートの第１孔部及び第２孔部の中に副次的物体を受容して、高さ調整可能なねじ式インサートを介してサンドイッチパネルに偏荷重を転嫁するための、段落Ａ１からＡ６６のいずれか１つに記載の高さ調整可能なねじ式インサートの使用。
【０２１１】
Ｆ１．航空機、衛星、アンテナ、輸送ビークル、シッピングコンテナ、自動車、及びシェルターのうちの一又は複数の一部分を構築するための、段落Ｂ１からＢ１６のいずれか１つに記載のサンドイッチパネルの使用。
【０２１２】
Ｇ１．
複数の第１の高さ調整可能なねじ式インサートであって、複数の第１の高さ調整可能なねじ式インサートの各々が、第１の高さ調整可能なねじ式インサートそれぞれの対応する第１インサート部品に対して対応する第２インサート部品が動作可能に配置されると第１の最小全高及び第１の最大全高を有する、段落Ａ１からＡ６６のいずれか１つに記載の高さ調整可能なねじ式インサートを含む、複数の第１の高さ調整可能なねじ式インサートと、
複数の第２の高さ調整可能なねじ式インサートであって、複数の第２の高さ調整可能なねじ式インサートの各々が、第２の高さ調整可能なねじ式インサートそれぞれの対応する第１インサート部品に対して対応する第２インサート部品が動作可能に配置されると第２の最小全高及び第２の最大全高を有する、段落Ａ１からＡ６６のいずれか１つに記載の高さ調整可能なねじ式インサートを含む、複数の第２の高さ調整可能なねじ式インサートとを備える、システムであって、第２の高さ調整可能なねじ式インサートの各々の第２の最小全高は、第１の高さ調整可能なねじ式インサートの各々の第１の最小全高よりも高く、第２の高さ調整可能なねじ式インサートの各々の第２の最大全高は、第１の高さ調整可能なねじ式インサートの各々の第１の最大全高よりも高い、システム。
【０２１３】
Ｇ２．第２の高さ調整可能なねじ式インサートの各々の第２の調整範囲は、第１の高さ調整可能なねじ式インサートの各々の第１の調整範囲よりも広く、第２の調整範囲は、第２の最大全高と第２の最小全高との差として画定され、第１の調整範囲は、第１の最大全高と第１の最小全高との差として画定される、段落Ｇ１に記載のシステム。
【０２１４】
Ｇ３．複数の第３の高さ調整可能なねじ式インサートであって、複数の第３の高さ調整可能なねじ式インサートの各々が、第３の高さ調整可能なねじ式インサートそれぞれの対応する第１インサート部品に対して対応する第２インサート部品が動作可能に配置されると第３の最小全高及び第３の最大全高を有する、段落Ａ１からＡ６６のいずれか１つに記載の高さ調整可能なねじ式インサートを含む、複数の第３の高さ調整可能なねじ式インサートを更に備え、第３の高さ調整可能なねじ式インサートの各々の第３の最小全高は、第２の高さ調整可能なねじ式インサートの各々の第２の最小全高よりも高く、第３の高さ調整可能なねじ式インサートの各々の第３の最大全高は、第２の高さ調整可能なねじ式インサートの各々の第２の最大全高よりも高い、段落Ｇ１又はＧ２に記載のシステム。
【０２１５】
本書においては、「適合し（ａｄａｐｔｅｄ）」及び「構成され（ｃｏｎｆｉｇｕｒｅｄ）」という用語は、要素、構成要素、又はその他の対象が、所与の機能を果たすよう設計され、かつ／又は意図されていることを意味する。ゆえに、「適合し」及び「構成され」という用語の使用は、所与の要素、構成要素、又はその他の対象が、単に所与の機能を果たすことが「可能である（ｃａｐａｂｌｅ  ｏｆ）」ことを意味すると解釈すべきではなく、要素、構成要素、及び／又はその他の対象が、その機能を果たすという目的のために、特に選択され、作り出され、実装され、利用され、プログラムされ、かつ／又は設計されていることを意味すると、解釈すべきである。特定の機能を果たすよう適合していると記載されている要素、構成要素、及び／又はその他の記載対象が、追加的又は代替的に、その機能を果たすよう構成されていると表現されうること、及びその逆も、本開示の範囲に含まれる。同様に、特定の機能を果たすよう構成されていると記載される対象は、追加的又は代替的に、その機能を果たすよう動作可能であるとも表現されうる。
【０２１６】
本書で開示されている方法の装置及びステップの様々な開示要素は、本開示によるすべての装置及び方法に必要とされるわけではなく、本開示は、本書で開示されている様々な要素及びステップの、新規性及び進歩性を有する組み合わせ及び部分的組み合わせの全てを含む。さらに、本書で開示されている様々な要素及びステップのうちの一又は複数は、開示されている装置又は方法の全体とは別個であり分離している、独立した発明の主題を規定しうる。したがって、かかる発明の主題は、本書で明示的に開示されている特定の装置及び方法に関連付けられる必要はなく、かつ、本書で明示的に開示されていない装置及び／又は方法における有用性が見出されることもある。
【０２１７】
Ｈ１．第１上面と第１下面とを有する第１フランジ、第１フランジの第１上面から第１首部端領域まで延在する第１首部、並びに、少なくとも第１首部を通って延在し、かつ、第１首部の第１内表面によって少なくとも部分的に画定される第１孔部を備える、第１インサート部品であって、第１首部が第１内表面の反対側の第１外表面を備える、第１インサート部品と、第２上面と第２下面とを有する第２フランジ、第２フランジの第２下面から第２首部端領域まで延在する第２首部、並びに、第２首部及び第２フランジを通って延在し、第２首部の第２内表面によって少なくとも部分的に画定される第２孔部を備える、第２インサート部品であって、第２首部が第２内表面の反対側の第２外表面を備える、第２インサート部品とを備える、高さ調整可能なねじ式インサートであって、第２インサート部品は、第２首部の第２内表面が第１首部の少なくとも一部分とねじ式係合を有するように、第１インサート部品に対して選択的に動作可能に配置されるよう構成され、高さ調整可能なねじ式インサートは、第２フランジが第１フランジに向かって動くように第１インサート部品に対して第２インサート部品を動かすことで高さ調整可能なねじ式インサートの全高が減少するように、選択的に調整可能な全高を有するよう構成され、高さ調整可能なねじ式インサートの全高は、第２フランジの第２上面と第１フランジの第１下面との間の垂直距離として画定され、第２インサート部品が第１インサート部品に対して動作可能に配置されると、第１孔部と第２孔部とは少なくとも実質的に同心になり、第１インサート部品と第２インサート部品とは、互いに対して、摺動可能に平行移動可能であり、かつ回転可能である、高さ調整可能なねじ式インサート。
【０２１８】
Ｈ２．サンドイッチパネルのボアの中に取り付けられるよう構成されている、高さ調整可能なねじ式インサートであって、一旦、第２インサート部品が第１インサート部品に対して動作可能に配置され、かつ、高さ調整可能なねじ式インサートがサンドイッチパネルのボア内に取り付けられると、第２インサート部品が第１インサート部品に対して回転する際にサンドイッチパネルに対する第１インサート部品の回転に抗するよう構成された、回転防止フィーチャを更に備える、段落Ｈ１に記載の高さ調整可能なねじ式インサート。
【０２１９】
Ｈ３．回転防止フィーチャは、第１フランジの外周エッジ領域から径方向に延在する複数の突起を備える、段落Ｈ２に記載の高さ調整可能なねじ式インサート。
【０２２０】
Ｈ４．第１インサート部品に対して第２インサート部品を長手方向に摺動させることによって、及び、第１インサート部品に対して第２インサート部品を回転させることによって、全高が調整可能であるように構成される、段落Ｈ１からＨ３のいずれか１つに記載の高さ調整可能なねじ式インサート。
【０２２１】
Ｈ５．第１首部の第１外表面は第１ねじ部を備える、段落Ｈ１からＨ４のいずれか１つに記載の高さ調整可能なねじ式インサート。
【０２２２】
Ｈ６．第２首部の第２内表面は、第１首部の第１ねじ部を係合するよう構成された一又は複数のねじ係合クリップを備え、一又は複数のねじ係合クリップは、第２首部端領域に隣接して配置され、一又は複数のねじ係合クリップは、第２首部の第２内表面から径方向に内向きに突出している、段落Ｈ５に記載の高さ調整可能なねじ式インサート。
【０２２３】
Ｈ７．第２首部は、長手方向に延在する溝の一又は複数の対であって、径方向に拡張可能なタブを長手方向に延在する溝の隣接対それぞれの間に形成するために互いに離間している、長手方向に延在する溝の一又は複数の対を備え、各ねじ係合クリップは、対応する径方向に拡張可能なタブ上に配置され、ねじ係合クリップは、第２インサート部品が第１インサート部品に対して動作可能に配置されると第１インサート部品の第１ねじ部を把持するよう構成され、第２インサート部品は、径方向に拡張可能なタブを径方向に拡張させること、及び、ねじ係合クリップを第１ねじ部に沿ってラチェットさせることによって、第１インサート部品に対して長手方向に動くよう構成される、段落Ｈ６に記載の高さ調整可能なねじ式インサート。
【０２２４】
Ｈ８．第２首部の第２内表面は第２ねじ部を備える、段落Ｈ１からＨ７のいずれか１つに記載の高さ調整可能なねじ式インサート。
【０２２５】
Ｈ９．第１首部の第１外表面は、第２首部の第２ねじ部を係合するよう構成された一又は複数のねじ係合クリップを備え、一又は複数のねじ係合クリップは、第１首部端領域に隣接して配置され、一又は複数のねじ係合クリップは、第１首部の第１外表面から径方向に外向きに突出しており、一又は複数のねじ係合クリップの各々は、第１インサート部品に対する第２インサート部品の回転が、ねじ係合クリップを、第２ねじ部と係合させ、かつ第２ねじ部に沿って移動させるように、部分ねじを含む、段落Ｈ８に記載の高さ調整可能なねじ式インサート。
【０２２６】
Ｈ１０．第２インサート部品は、第２ねじ部が一又は複数の長手方向に延在する溝の各々において不連続になるように、第２首部の第２内表面の第２ねじ部内に形成された一又は複数の長手方向に延在する溝を備え、長手方向に延在する溝の各々は、各ねじ係合クリップが、第２インサート部品が第１インサート部品に対して動作可能に配置されると対応する長手方向に延在する溝に沿って長手方向に摺動するよう構成されるように、対応するねじ係合クリップを受容するよう構成される、段落Ｈ９に記載の高さ調整可能なねじ式インサート。
【０２２７】
Ｈ１１．第１インサート部品及び第２インサート部品がサンドイッチパネルのボア内に少なくとも部分的に一旦挿入されると、高さ調整可能なねじ式インサートの全高が調整可能になるように構成される、段落Ｈ１からＨ１０のいずれか１つに記載の高さ調整可能なねじ式インサート。
【０２２８】
Ｈ１２．第１外板と、第１外板の反対側の第２外板と、それらの間のコアとを備えるサンドイッチパネルのボア内に取り付けられるよう構成されている、高さ調整可能なねじ式インサートであって、第２インサート部品が第１インサート部品に対して動作可能に配置され、かつ、高さ調整可能なねじ式インサートがサンドイッチパネルのボア内に取り付けられると、第２フランジの第２上面がサンドイッチパネルの第１外板と第２外板の一方と少なくとも実質的に同一平面になるように構成される、段落Ｈ１からＨ１０のいずれか１つに記載の高さ調整可能なねじ式インサート。
【０２２９】
Ｉ１．高さ調整可能なねじ式インサートをサンドイッチパネル内に形成されたボアの中に取り付ける方法であって、ボア内に高さ調整可能なねじ式インサートを取り付けることであって、高さ調整可能なねじ式インサートが、第１上面と第１下面とを有する第１フランジ、第１フランジの第１上面から第１首部端領域まで延在する第１首部、並びに、少なくとも第１首部を通って延在し、かつ、第１首部の第１内表面によって少なくとも部分的に画定される第１孔部を備える、第１インサート部品であって、第１首部が第１内表面の反対側の第１外表面を備える、第１インサート部品と、第２上面と第２下面とを有する第２フランジ、第２フランジの第２下面から第２首部端領域まで延在する第２首部、並びに、第２首部及び第２フランジを通って延在し、第２首部の第２内表面によって部分的に画定される第２孔部を備える、第２インサート部品であって、第２首部が第２内表面の反対側の第２外表面を備える、第２インサート部品とを備え、第２インサート部品は、第２首部の第２内表面が第１首部の少なくとも一部分とねじ式係合を有するように、第１インサート部品に対して選択的に動作可能に配置されるよう構成され、高さ調整可能なねじ式インサートは、第２フランジが第１フランジに向かって動くように第１インサート部品に対して第２インサート部品を動かすことで高さ調整可能なねじ式インサートの全高が減少するように、選択的に調整可能な全高を有するよう構成され、高さ調整可能なねじ式インサートの全高は、第２フランジの第２上面と第１フランジの第１下面との間の垂直距離として画定され、第２インサート部品が第１インサート部品に対して動作可能に配置されると、第１孔部と第２孔部とは少なくとも実質的に同心になり、第１インサート部品と第２インサート部品とは、互いに対して、摺動可能に平行移動可能であり、かつ回転可能である、取り付けること、並びに、高さ調整可能なねじ式インサートの高さを、第２フランジの第２上面がサンドイッチパネルの外表面と少なくとも実質的に同一平面になるまで調整することであって、第１インサート部品に対して第２インサート部品を長手方向に摺動させることと、第２インサート部品に対して第１インサート部品を回転させることとを含む、高さを調整することを含む、方法。
【０２３０】
Ｉ２．サンドイッチパネル内に複数のボアを形成することを更に含み、サンドイッチパネルは、第１内表面及び反対側の第１外表面を有する第１外板と、第１外板の反対側の第２外板であって、第２内表面及び反対側の第２外表面を有する第２外板とを有し、第１外板の第１外表面と第２外板の第２外表面とは互いに逆方向に面しており、サンドイッチパネルは、更に、第１外板の第１内表面と第２外板の第２内表面との間に挟まれたコアを有し、複数のボアを形成することは、複数のボアを、それらが第１外板と第２外板の少なくとも一方を通ってコアの中へと延在するように形成することを含み、高さ調整可能なねじ式インサートを取り付けることは、複数の高さ調整可能なねじ式インサートを取り付けることを含み、複数の高さ調整可能なねじ式インサートのそれぞれは、複数のボアのうちの対応するボア内に取り付けられ、ボア内に高さ調整可能なねじ式インサートを取り付けることは、第１首部がサンドイッチパネルの第１外板に向かってボアの中へと延在するように、サンドイッチパネルの第２外板に隣接して第１フランジを配置すること、及び、第２首部が第１インサート部品の第１フランジと第２インサート部品の第２フランジとの間に配置されるように、第２インサート部品を配置することを含み、ボア内に高さ調整可能なねじ式インサートを取り付けることは、第２首部の第２内表面が第１首部の第１外表面上に少なくとも部分的に配置されるように、かつ、第１孔部と第２孔部とが実質的に同心になるように、最初に第１インサート部品をボア内に挿入すること、及び、次いで第２インサート部品をボア内に挿入することを含む、段落Ｉ１に記載の方法。
【０２３１】
Ｉ３．高さ調整可能なねじ式インサートの高さを調整することは、第１インサート部品のねじ係合クリップを、第２インサート部品の第２首部の第２内表面の第２ねじ部内に形成された長手方向に延在する溝に沿って摺動させること、及び、第１インサート部品のねじ係合クリップが第２インサート部品の第２首部内の第２ねじ部を係合するように、第１インサート部品に対して第２インサート部品を回転させることを含む、段落Ｉ１に記載の方法。
【０２３２】
Ｉ４．高さ調整可能なねじ式インサートの高さを調整することは、第２インサート部品の一又は複数のねじ係合クリップが第１インサート部品の第１首部の第１外表面上の第１ねじ部の一又は複数のねじ山を長手方向に通り過ぎるように、第２インサート部品の一又は複数の径方向に拡張可能なタブを径方向に拡張させることを含む、段落Ｉ１からＩ３のいずれか１つに記載の方法。
【０２３３】
Ｊ１．複数の第１の高さ調整可能なねじ式インサートと、複数の第２の高さ調整可能なねじ式インサートとを備える、システムであって、複数の第２の高さ調整可能なねじ式インサートの各々、及び、複数の第１の高さ調整可能なねじ式インサートの各々は、第１上面と第１下面とを有する第１フランジ、第１フランジの第１上面から第１首部端領域まで延在する第１首部、並びに、    少なくとも第１首部を通って延在し、かつ、第１首部の第１内表面によって少なくとも部分的に画定される第１孔部を備える、第１インサート部品であって、第１首部は第１内表面の反対側の第１外表面を備える、第１インサート部品と、   第２上面と第２下面とを有する第２フランジ、第２フランジの第２下面から第２首部端領域まで延在する第２首部、並びに、第２首部及び第２フランジを通って延在し、第２首部の第２内表面によって部分的に画定される第２孔部を備える、第２インサート部品であって、第２首部は第２内表面の反対側の第２外表面を備える、第２インサート部品とを備え、第２インサート部品は、第２首部の第２内表面が第１首部の少なくとも一部分とねじ式係合を有するように、第１インサート部品に対して選択的に動作可能に配置されるよう構成され、高さ調整可能なねじ式インサートは、第２フランジが第１フランジに向かって動くように第１インサート部品に対して第２インサート部品を動かすことで高さ調整可能なねじ式インサートの全高が減少するように、選択的に調整可能な全高を有するよう構成され、高さ調整可能なねじ式インサートの全高は、第２フランジの第２上面と第１フランジの第１下面との間の垂直距離として画定され、第２インサート部品が第１インサート部品に対して動作可能に配置されると、第１孔部と第２孔部とは少なくとも実質的に同心になり、第１インサート部品と第２インサート部品とは、互いに対して、摺動可能に平行移動可能であり、かつ回転可能であり、第１の高さ調整可能なねじ式インサートのそれぞれは、対応する第２インサート部品が、第１の高さ調整可能なねじ式インサートそれぞれの対応する第１インサート部品に取り付けられると、第１の最小全高及び第１の最大全高を有し、第２の高さ調整可能なねじ式インサートのそれぞれは、対応する第２インサート部品が、第２の高さ調整可能なねじ式インサートそれぞれの対応する第１インサート部品に取り付けられると、第２の最小全高及び第２の最大全高を有し、第２の高さ調整可能なインサートの各々の第２の最小全高は、第１の高さ調整可能なねじ式インサートの各々の第１の最小全高よりも高く、第２の高さ調整可能なねじ式インサートの各々の第２の最大全高は、第１の高さ調整可能なねじ式インサートの各々の第１の最大全高よりも高い、システム。
【図１】
2017215035.tif 000003
【図２】
2017215035.tif 000004
【図３】
2017215035.tif 000005
【図４】
2017215035.tif 000006
【図５】
2017215035.tif 000007
【図６】
2017215035.tif 000008
【図７】
2017215035.tif 000009
【図８】
2017215035.tif 000010
【図９】
2017215035.tif 000011
【図１０】
2017215035.tif 000012
【図１１】
2017215035.tif 000013
【図１２】
2017215035.tif 000014
【図１３】
2017215035.tif 000015
【図１４】
2017215035.tif 000016
【図１５】
2017215035.tif 000017
【図１６】
2017215035.tif 000018
【外国語明細書】
2017215035000001.pdf
2017215035000002.pdf
2017215035000003.pdf
2017215035000004.pdf